(57)【要約】【課題】計数対象である個別物品の価値などに応じて、計数精度を選択できるようにする。【解決手段】計量器で測定した集合品の重量測定値が、個数別の個数判定用重量範囲のいずれの個数判定用重量範囲に属するかに基づいて、個別物品の個数を計数する計数秤であって、個数判定用重量範囲は、その上限ＷＵ＜Ｎ＞及び下限ＷＬ＜Ｎ＞が、個数Ｎと平均単位重量ｗａとの積である基準重量値Ｎ・ｗａの上下に、平均単位重量値ｗａの１／２以下の重量幅ｗｅｘでそれぞれ規定されると共に、前記重量幅ｗｅｘが変更可能としている。【選択図】図６
2015031556.tif 000002
【特許請求の範囲】
【請求項１】
個別物品からなる集合品が計量器に載置され、前記計量器で測定した前記集合品の重量測定値と、個別物品の１個当りの重量の平均値である平均単位重量値とに基づいて、前記個別物品の個数を計数する計数秤であって、
前記計量器で測定した前記集合品の重量測定値が、個数別の個数判定用重量範囲のいずれの個数判定用重量範囲に属するかに基づいて、前記集合品を構成する前記個別物品の個数を計数する個数計数手段を備え、
前記個数判定用重量範囲は、その上限及び下限が、個数と前記平均単位重量との積である基準重量値の上下に、前記平均単位重量値の１／２以下の重量幅でそれぞれ規定されると共に、前記重量幅が変更可能である、
ことを特徴とする計数秤。
【請求項２】
前記計量器に載置して計数する前記個別物品の最大個数及び前記個数判定用重量範囲の前記重量幅を設定する設定手段と、
前記平均単位重量値、前記個別物品の重量の標準偏差、前記最大個数、及び、設定される重量幅に応じた前記個数判定用重量範囲に基づいて、計数精度評価値を導出する計数精度評価値導出手段と、
前記計数精度評価値導出手段によって導出される前記計数精度評価値を出力する出力手段とを備え、
前記計数精度評価値は、前記個数計数手段で、前記最大個数が計数個数とされたときに、その計数個数の精確さの程度を表す、
請求項１に記載の計数秤。
【請求項３】
前記計量器に載置して計数する前記個別物品の最大個数及び前記個数判定用重量範囲の前記重量幅を設定する設定手段と、
前記平均単位重量値、前記個別物品の重量の標準偏差、前記最大個数、及び、設定される重量幅に応じた前記個数判定用重量範囲に基づいて、個数決定可否評価値を導出する個数決定可否評価値導出手段と、
前記個数決定可否評価値導出手段によって導出される前記個数決定可否評価値を出力する出力手段とを備え、
前記個数決定可否評価値は、前記個数計数手段で、前記最大個数が計数個数として計数される可能性の程度を表す、
請求項１又は２に記載の計数秤。
【請求項４】
前記計量器に載置して計数する前記個別物品の最大個数及び計数精度評価値の目標値が設定される設定手段と、
前記最大個数及び前記目標値に基づいて、前記目標値に応じた個数別の前記個数判定用重量範囲を決定する個数判定用重量範囲決定手段とを備え、
前記計数精度評価値は、前記個数計数手段で、前記最大個数が計数個数とされたときに、その計数個数の精確さの程度を表す、
請求項１ないし３のいずれかに記載の計数秤。
【請求項５】
前記計量器に載置して計数する前記個別物品の最大個数及び個数決定可否評価値の目標値が設定される設定手段と、
前記最大個数及び前記目標値に基づいて、前記目標値に応じた個数別の前記個数判定用重量範囲を決定する個数判定用重量範囲決定手段とを備え、
前記個数決定可否評価値は、前記個数計数手段で、前記最大個数が計数個数として計数される可能性の程度を表す、
請求項１ないし４のいずれかに記載の計数秤。
【請求項６】
前記計量器で測定した前記集合品の重量測定値が、前記設定手段で設定される最大個数に対応する前記個数判定用重量範囲の上限値以下であるにも拘わらず、前記個数別の個数判定用重量範囲のいずれにも属さないために、前記個別物品の個数を計数できないときには、その旨を報知する計数不可報知手段を備える、
請求項２ないし５のいずれかに記載の計数秤。
【請求項７】
複数の計量器を備え、個別物品からなる集合品が各計量器に載置され、前記各計量器で測定した前記集合品の重量測定値と、個別物品の１個当りの重量の平均値である平均単位重量値とに基づいて、前記個別物品の個数を計量器毎にそれぞれ計数する個数計数手段を備え、計数した計量器毎の前記個別物品の個数に基づいて、組合せ演算を行う組合せ式の計数秤であって、
前記個数計数手段は、前記計量器で測定した前記集合品の重量測定値が、個数別の個数判定用重量範囲のいずれの個数判定用重量範囲に属するかに基づいて、前記集合品を構成する前記個別物品の個数を計数するものであり、
前記個数判定用重量範囲は、その上限及び下限が、個数と前記平均単位重量との積である基準重量値の上下に、前記平均単位重量値の１／２以下の重量幅でそれぞれ規定されると共に、前記重量幅が変更可能である、
ことを特徴とする計数秤。
【請求項８】
計数精度評価値の目標値が設定される設定手段と、
前記計量器に載置して計数する前記個別物品の最大個数及び前記目標値に基づいて、前記目標値に応じた個数別の前記個数判定用重量範囲を決定する個数判定用重量範囲決定手段とを備え、
前記計数精度評価値は、前記個数計数手段で、前記最大個数が計数個数とされたときに、その計数個数の精確さの程度を表すものであり、
計量器の組合せを選択する前記組合せ演算には、前記集合品の前記重量測定値が、前記個数判定用重量範囲決定手段によって決定される個数判定用重量範囲にない計量器を参加させない、
請求項７に記載の計数秤。
【請求項９】
前記組合せ演算における前記個別物品の目標組合せ個数と、前記目標組合せ個数を構成するために選択される前記計量器の目標台数である目標組合せ台数とに基づいて、前記計量器に載置して計数する前記個別物品の最大個数を求めると共に、該最大個数に対応する最大重量値を取得する最大重量値取得手段と、
前記目標組合せ個数と前記目標組合せ台数とに基づいて、前記計量器に載置して計数する前記個別物品の最小個数を求めると共に、該最小個数に対応する最小重量値を取得する最小重量値取得手段と、
前記各計量器で測定した前記集合品の前記重量測定値が、前記最大重量値を超えるときには、前記計量器に載置した重量が過量である旨を報知する過量報知手段と、
前記各計量器で測定した前記集合品の前記重量測定値が、前記最小重量値未満であるときには、前記計量器に載置した重量が軽量である旨報知する軽量報知手段とを備える、
請求項７又は８に記載の計数秤。
【請求項１０】
前記組合せ演算における前記個別物品の目標組合せ個数と、前記目標組合せ個数を構成するために選択される前記計量器の目標台数である目標組合せ台数とに基づいて、前記計量器に載置して計数する前記個別物品の最大個数を求めると共に、該最大個数に対応する最大重量値を取得する最大重量値取得手段と、
前記目標組合せ個数と前記目標組合せ台数とに基づいて、前記計量器に載置して計数する前記個別物品の最小個数を求めると共に、該最小個数に対応する最小重量値を取得する最小重量値取得手段と、
前記各計量器で測定した前記集合品の前記重量測定値が、前記最小重量値以上であって前記最大重量値以下であるにも拘わらず、前記個数別の個数判定用重量範囲のいずれにも属さないために、前記個別物品の個数を計数できないときには、その旨を報知する計数不可報知手段を備える、
請求項７ないし９のいずれかに記載の計数秤。
【発明の詳細な説明】
【技術分野】
【０００１】
本発明は、計量器に載置した物品の個数を、重量値に基づいて算出する計数秤に関する。
【背景技術】
【０００２】
一般に計数秤では、計数対象である物品の１個当たり重量（単位重量）の平均値である平均単位重量値ｗａを予め求めておき、複数個の個別の物品を計量器に載置したときの重量測定値Ｗｘを次式のように平均単位重量値ｗａで除算し、四捨五入して個数Ｎｘを求めている。
【０００３】
Ｎｘ＝Ｗｘ／ｗａ
しかし、個別の物品それぞれの単位重量に大きいばらつきが存在すると、正しく個数を計数することはできない。
【０００４】
例えば、多数の個別の物品による平均単位重量値が１０ｇであっても、たまたま３個の物品を集めたところ、それぞれの単位重量が１３ｇ、１５ｇ、１２ｇであったとすれば、それらを集めた集合品の重量測定値Ｗｘは、Ｗｘ＝４０ｇとなり、個数Ｎｘ＝４０／１０＝４個と算出されてしまう。物品の個数が少ない場合は、一目で実個数と算出個数の違いが分るが、物品の個数が多い場合は、実個数と算出個数との違いが分らず、算出個数に基づくと、実個数との間に誤差を生じる。一方、３個の物品の単位重量が１１ｇ、８ｇ、１２ｇであれば、重量測定値Ｗｘ＝３２g、個数Ｎｘ＝３１／１０＝３．１（四捨五入）＝３個と算出され、実個数と算出個数は一致する。
【０００５】
このように計数値は、個別の物品を集めた集合品の重量測定値を、個別の物品の平均単位重量値で除算して算出するので、個別の物品それぞれの単位重量が平均単位重量値に近いほど（ばらつき量が小さいほど）精確に個数を算出できる。
【０００６】
特許文献１には、平均単位重量値（平均単重値）を常に更新し、重量測定値を、最新の平均単位重量値で除算して個数を算出する技術が開示されている。
【先行技術文献】
【特許文献】
【０００７】
【特許文献１】特公昭６１−５４１６４号公報
【発明の概要】
【発明が解決しようとする課題】
【０００８】
ところで、計数対象である物品の価値は様々であり、物品の価値に応じて、要求される計数精度も異なる。例えば、高価な物品であれば、従来よりも高い計数精度で計数したい場合があり、あるいは、従来と同じ計数精度で、一度に計数できる物品の個数を増やして作業効率を高めたい場合がある。
【０００９】
しかしながら、上記特許文献１等の従来の計数秤では、計数秤として、予め規定されている一つの計数精度のみに基づいて、物品の個数が計数されるだけであり、計数対象である物品の価値などに応じて、計数精度を選択するといったことはできなかった。
【００１０】
本発明は、このような実情に着目してなされたものであって、計数対象である物品の価値などに応じて、計数精度を選択できるようにすることを目的とする。
【課題を解決するための手段】
【００１１】
上記目的を達成するために、本発明では、次のように構成している。
【００１２】
（１）本発明の計数秤は、個別物品からなる集合品が計量器に載置され、前記計量器で測定した前記集合品の重量測定値と、個別物品の１個当りの重量の平均値である平均単位重量値とに基づいて、前記個別物品の個数を計数する計数秤であって、
前記計量器で測定した前記集合品の重量測定値が、個数別の個数判定用重量範囲のいずれの個数判定用重量範囲に属するかに基づいて、前記集合品を構成する前記個別物品の個数を計数する個数計数手段を備え、
前記個数判定用重量範囲は、その上限及び下限が、個数と前記平均単位重量との積である基準重量値の上下に、前記平均単位重量値の１／２以下の重量幅でそれぞれ規定されると共に、前記重量幅が変更可能である。
【００１３】
前記個数判定用重量範囲の上限及び下限をそれぞれ規定する重量幅は、直接設定できるようにしてもよいし、他の条件、例えば個数の計数精度などを設定することによって、それに応じた前記重量幅が、自動的に設定されるようにしてもよい。
【００１４】
前記平均単位重量値は、設定できるようにしてもよいし、あるいは、予め個別物品をサンプル品として計量器で計量して算出するようにしてもよい。
【００１５】
本発明によると、個別物品の個数を計数するための個数別の個数判定用重量範囲の上下限の重量幅を変更可能であるので、前記重量幅を従来と同じにすれば、従来と同じ計数精度で個数を計数することができ、また、前記重量幅を狭くすることによって、従来よりも高い計数精度で計数することが可能となり、計数対象である個別物品の価値などに応じて、計数精度を変更することが可能となる。
【００１６】
（２）本発明の好ましい実施態様では、前記計量器に載置して計数する前記個別物品の最大個数及び前記個数判定用重量範囲の前記重量幅を設定する設定手段と、
前記平均単位重量値、前記個別物品の重量の標準偏差、前記最大個数、及び、設定される重量幅に応じた前記個数判定用重量範囲に基づいて、計数精度評価値を導出する計数精度評価値導出手段と、
前記計数精度評価値導出手段によって導出される前記計数精度評価値を出力する出力手段とを備え、
前記計数精度評価値は、前記個数計数手段で、前記最大個数が計数個数とされたときに、その計数個数の精確さの程度を表すものである。
【００１７】
前記個別物品の重量の標準偏差は、最大個数や重量幅と同様に設定できるようにしてもよいし、あるいは、予め個別物品をサンプル品として計量器で計量して算出するようにしてもよい。
【００１８】
出力手段は、計数精度評価値を表示、印字、及び音声等のいずれか、あるいは、それらを組合せて出力するものであるのが好ましく、設定される最大個数や設定される重量幅に応じた個数判定用重量範囲を併せて出力するようにしてもよい。
【００１９】
本発明によると、計量器に一度に載置して計数する個別物品の最大個数及び個数判定用重量範囲の重量幅を設定することによって、前記最大個数が計数個数とされたときに、その計数個数の精確さの程度を表す計数精度評価値が導出されて出力されるので、前記重量幅を変更設定すると、それに応じた計数精度評価値が出力されることになる。これによって、作業者は、計数精度評価値が、所望の計数精度評価値となる前記重量幅を設定して、所望の計数精度で計数作業を行うことが可能となる。
【００２０】
（３）本発明の他の実施態様では、前記計量器に載置して計数する前記個別物品の最大個数及び前記個数判定用重量範囲の前記重量幅を設定する設定手段と、
前記平均単位重量値、前記個別物品の重量の標準偏差、前記最大個数、及び、設定される重量幅に応じた前記個数判定用重量範囲に基づいて、個数決定可否評価値を導出する個数決定可否評価値導出手段と、
前記個数決定可否評価値導出手段によって導出される前記個数決定可否評価値を出力する出力手段とを備え、
前記個数決定可否評価値は、前記個数計数手段で、前記最大個数が計数個数として計数される可能性の程度を表すものである。
【００２１】
個数判定用重量範囲の重量幅を狭く設定する、すなわち、個数判定用重量範囲を狭くすると、計数精度は高くなる一方、計量器で測定した集合品の重量測定値が、個数判定用重量範囲に属しなくなる可能性が高くなる。個数決定可否評価値導出手段では、個数計数手段で、前記最大個数が計数個数として計数される可能性の程度を表す個数決定可否評価値を導出する。
【００２２】
この個数決定可否評価値は、最大個数について、計量器で測定した集合品の重量測定値が、設定した個数判定用重量範囲内に属して計数できる可能性の程度を表すものであり、その可能性の程度が低ければ、計数できない可能性が高くなる。計数できない場合には、計量器に載置した集合品を構成する個別物品を交換する作業が必要となり、作業効率が低下する。したがって、作業者は、出力される個数決定可否評価値に基づいて、作業効率がどのようになるかを把握することができる。
【００２３】
本発明によると、計量器に一度に載置して計数する個別物品の最大個数及び個数判定用重量範囲の重量幅を設定することによって、最大個数が計数個数として計数される可能性の程度を表す個数決定可否評価値が導出されて出力されるので、重量幅を変更設定すると、それに応じた個数決定可否評価値が出力されるので、作業者は、個数決定可否評価値に基づいて、作業効率がどのようになるかを把握することができる。
【００２４】
これによって、作業者は、所望の効率で計数作業を行うことができるように、前記重量幅を設定することがで、所望の効率で計数作業を行うことが可能となる。
【００２５】
（４）本発明の好ましい実施態様では、前記計量器に載置して計数する前記個別物品の最大個数及び計数精度評価値の目標値が設定される設定手段と、
前記最大個数及び前記目標値に基づいて、前記目標値に応じた個数別の前記個数判定用重量範囲を決定する個数判定用重量範囲決定手段とを備え、
前記計数精度評価値は、前記個数計数手段で、前記最大個数が計数個数とされたときに、その計数個数の精確さの程度を表すものである。
【００２６】
この実施態様によると、計数個数の精確さの程度を示す計数精度評価値の目標値を設定すると、その目標値に応じた個数別の個数判定用重量範囲が自動的に決定されるので、個数判定用重量範囲を設定する必要がなく、決定された個数判定用重量範囲で計数作業を行うことによって、目標値として設定した計数精度評価値、すなわち、目標の計数精度で計数作業を行うことが可能となる。
【００２７】
（５）本発明の他の実施態様では、前記計量器に載置して計数する前記個別物品の最大個数及び個数決定可否評価値の目標値が設定される設定手段と、
前記最大個数及び前記目標値に基づいて、前記目標値に応じた個数別の前記個数判定用重量範囲を決定する個数判定用重量範囲決定手段とを備え、
前記個数決定可否評価値は、前記個数計数手段で、前記最大個数が計数個数として計数される可能性の程度を表すものである。
【００２８】
この実施態様によると、作業効率に関連する個数決定可否評価値の目標値を設定すると、その目標値に応じた個数別の個数判定用重量範囲が自動的に決定されるので、個数判定用重量範囲を設定する必要がなく、決定された個数判定用重量範囲で計数作業を行うことによって、目標値として設定した個数決定可否評価値に応じた作業効率で計数作業を行うことが可能となる。
【００２９】
（６）本発明の更に他の実施態様では、前記計量器で測定した前記集合品の重量測定値が、前記設定手段で設定される最大個数に対応する前記個数判定用重量範囲の上限値以下であるにも拘わらず、前記個数別の個数判定用重量範囲のいずれにも属さないために、前記個別物品の個数を計数できないときには、その旨を報知する計数不可報知手段を備える。
【００３０】
この実施態様によると、計量器で測定した集合品の重量測定値が、最大個数に対応する個数判定用重量範囲の上限値以下であるにも拘わらず、個数別の個数判定用重量範囲のいずれにも属さないために、個数を計数できないときには、その旨が報知されるので、作業者は、計量器に載置されている集合品を構成する個別物品を交換して重量値を調整することによって、計数可能とすることができる。
【００３１】
（７）本発明の計数秤は、複数の計量器を備え、個別物品からなる集合品が各計量器に載置され、前記各計量器で測定した前記集合品の重量測定値と、個別物品の１個当りの重量の平均値である平均単位重量値とに基づいて、前記個別物品の個数を計量器毎にそれぞれ計数する個数計数手段を備え、計数した計量器毎の前記個別物品の個数に基づいて、組合せ演算を行う組合せ式の計数秤であって、
前記個数計数手段は、前記計量器で測定した前記集合品の重量測定値が、個数別の個数判定用重量範囲のいずれの個数判定用重量範囲に属するかに基づいて、前記集合品を構成する前記個別物品の個数を計数するものであり、
前記個数判定用重量範囲は、その上限及び下限が、個数と前記平均単位重量との積である基準重量値の上下に、前記平均単位重量値の１／２以下の重量幅でそれぞれ規定されると共に、前記重量幅が変更可能である。
【００３２】
本発明によると、個別物品の個数を計数するための個数別の個数判定用重量範囲の上下限の重量幅を変更可能であるので、前記重量幅を従来と同じにすれば、従来と同じ計数精度で、計量器毎に個数を計数することができ、また、前記重量幅を狭くすることによって、従来よりも高い計数精度で、計量器毎に計数することが可能となり、計数対象である個別物品の価値などに応じて、計数精度を変更することが可能となる。
【００３３】
(８)本発明の他の実施態様では、計数精度評価値の目標値が設定される設定手段と、
前記計量器に載置して計数する前記個別物品の最大個数及び前記目標値に基づいて、前記目標値に応じた個数別の前記個数判定用重量範囲を決定する個数判定用重量範囲決定手段とを備え、
前記計数精度評価値は、前記個数計数手段で、前記最大個数が計数個数とされたときに、その計数個数の精確さの程度を表すものであり、
計量器の組合せを選択する前記組合せ演算には、前記集合品の前記重量測定値が、前記個数判定用重量範囲決定手段によって決定される個数判定用重量範囲にない計量器を参加させないようにする。
【００３４】
この実施態様によると、計量器で測定した集合品の重量測定値が、計数精度評価値の目標値に応じて決定される個数判定用重量範囲にないとき、すなわち、計数精度評価値を満足しないときには、その計量器は、計量器の組合せを選択する組合せ演算に参加させないようにすることができる。
【００３５】
（９）本発明の他の実施態様では、前記組合せ演算における前記個別物品の目標組合せ個数と、前記目標組合せ個数を構成するために選択される前記計量器の目標台数である目標組合せ台数とに基づいて、前記計量器に載置して計数する前記個別物品の最大個数を求めると共に、該最大個数に対応する最大重量値を取得する最大重量値取得手段と、
前記目標組合せ個数と前記目標組合せ台数とに基づいて、前記計量器に載置して計数する前記個別物品の最小個数を求めると共に、該最小個数に対応する最小重量値を取得する最小重量値取得手段と、
前記各計量器で測定した前記集合品の前記重量測定値が、前記最大重量値を超えるときには、前記計量器に載置した重量が過量である旨を報知する過量報知手段と、
前記各計量器で測定した前記集合品の前記重量測定値が、前記最小重量値未満であるときには、前記計量器に載置した重量が軽量である旨報知する軽量報知手段とを備える。
【００３６】
この実施態様によると、組合せ演算による組合せの歩留まりの観点から、目標組合せ個数と目標組合せ台数とに基づいて、計量器に一度に載置して計数する個別物品の最大個数及び最小個数が求められて、対応する最大重量値及び最小重量値が取得され、計量器に載置された複数の個別物品からなる集合品の重量測定値が、最大重量値を超える、あるいは、最小重量値未満であるときには、対応する報知がなされるので、作業者は、その報知内容に応じて、計量器に載置された個別物品を減らしたり、増やしたりして計数作業を効率的に進めることができる。
【００３７】
（１０）本発明の更に他の実施態様では、前記組合せ演算における前記個別物品の目標組合せ個数と、前記目標組合せ個数を構成するために選択される前記計量器の目標台数である目標組合せ台数とに基づいて、前記計量器に載置して計数する前記個別物品の最大個数を求めると共に、該最大個数に対応する最大重量値を取得する最大重量値取得手段と、
前記目標組合せ個数と前記目標組合せ台数とに基づいて、前記計量器に載置して計数する前記個別物品の最小個数を求めると共に、該最小個数に対応する最小重量値を取得する最小重量値取得手段と、
前記各計量器で測定した前記集合品の前記重量測定値が、前記最小重量値以上であって前記最大重量値以下であるにも拘わらず、前記個数別の個数判定用重量範囲のいずれにも属さないために、前記個別物品の個数を計数できないときには、その旨を報知する計数不可報知手段を備える。
【００３８】
この実施態様によると、各計量器で測定した集合品の重量測定値が、組合せ演算による組合せの歩留まりの観点から求まる最小重量値以上であって最大計量値以下であるにも拘わらず、個数別の個数判定用重量範囲のいずれにも属さないために、個数を計数できないときには、その旨が報知されるので、作業者は、計量器に載置されている個別物品を交換して重量値を調整することによって、計数できるようにすることができる。
【発明の効果】
【００３９】
このように、本発明によれば、個別物品の個数を計数するための個数別の個数判定用重量範囲の上下限の重量幅を変更可能であるので、前記重量幅を従来と同じにすれば、従来と同じ計数精度で個数を計数することができ、また、前記重量幅を狭くすることによって、従来よりも高い計数精度で計数することが可能となり、計数対象である個別物品の価値などに応じて、計数精度を変更することが可能となる。
【図面の簡単な説明】
【００４０】
【図１】本発明の一実施形態に係る組合せ式の計数秤の斜視図である。
【図２】図１の計数秤の構成を示すブロック図である。
【図３】組合せ式でない計数秤の構成を示すブロック図である。
【図４】個別物品のＮ個からなる集合品の重量分布を示す図である。
【図５】個別物品の１個〜（Ｎ＋１）個からなる各集合品の重量分布を示す図である。
【図６】個数判定用重量範囲の設定を説明するための集合品の重量分布を示す図である。
【図７】計算事例−１を説明するための集合品の重量分布を示す図である。
【図８】計算事例−２を説明するための集合品の重量分布を示す図である。
【図９】計算事例−３を説明するための集合品の重量分布を示す図である。
【図１０】評価値手動算出モードのセット及びリセット処理を示すフローチャートである。
【図１１】評価値手動算出モードの処理を示すフローチャートである。
【図１２】個数決定可否評価値自動算出モードのセット及びリセット処理を示すフローチャートである。
【図１３】個数決定可否評価値自動算出モードの処理を示すフローチャートである。
【発明を実施するための形態】
【００４１】
以下、本発明の実施形態を、図面を参照しながら詳細に説明する。
【００４２】
図１は、本発明の一実施形態に係る組合せ式の計数秤の斜視図であり、この計数秤１は、計数対象である物品の供給及び取り出しを作業者の手作業により行う手動式の計数秤である。
【００４３】
この計数秤１は、作業者によって複数個の物品がそれぞれ載置される複数の計量皿２と、計量皿２等を支持するフレーム部３と、各種の設定や表示などを行うと共に、計数及び後述の制御演算等を行う制御ユニット４とを備えている。
【００４４】
各計量皿２は、その下方の図示しないロードセル等の各荷重センサにそれぞれ支持されており、各計量皿２、各荷重センサ及び後述の測定演算回路によって、各計量皿２に載せられた物品を計量する計量器が構成される。この実施形態では、計量皿２は、フレーム部３上の両側に６皿ずつ計１２皿が配置されている。この計数秤１は、手動式であるので、作業者が直接各計量皿２に、物品を載せる、あるいは、降ろす作業を行う。物品としては、例えば、農水産品やその加工品などを挙げることができる。各計量皿２には、複数個の物品が載置される。
【００４５】
フレーム部３は、各計量皿２を挟んでその両側に、ＬＥＤ等からなる３個のランプ５1〜５3が、各計量皿２に個別的に対応するように列設されている。
【００４６】
制御ユニット４は、フレーム部３の一方側の端部に配設されており、その前面には表示部６が設けられている。出力手段としての表示部６には、組合せ条件等を設定するための画面や後述の計数精度評価値等が表示される。この実施形態では、タッチパネルで構成されており、表示部６の表面部分が入力部７となっている。この入力部７によって、組合せ条件や計数精度評価値などの設定を行うことができる。なお、タッチパネルに限らず、表示部６と入力部７とをそれぞれ液晶ディスプレイとキースイッチ等で個別に構成してもよい。
【００４７】
この組合せ式の計数秤１では、作業者が各計量皿２上に載置した物品の個数を計数し、計数した個数を組合せて、目標組合せ個数となる計量皿２を選択し、選択した計量皿２に対応する上記３個のランプ５1〜５3の内の組合せランプ５1を点灯して作業者に報知する。作業者は、点灯している組合せランプ５1に対応する計量皿２上の物品を降ろして、例えば１つの袋へまとめてパックし、所定の目標組合せ個数以上であって該目標組合せ個数に最も近い個数で、上限組合せ個数以下の個数の物品がパックされた商品を製造するものである。例えば、各計量皿２には、３〜４個程度の個別の物品をそれぞれ載置し、選択された計量皿２の集合物品を集めて、２０〜２５個程度の物品を袋詰めした商品を製造する。
【００４８】
上記３個のランプ５1〜５3の内、ランプ５2は、例えば、対応する計量皿２に載置されている物品の重量が過量であるときに赤色で点滅する過量報知手段としての第１警告ランプであり、第３ランプ５3は、例えば、対応する計量皿２に載置されている物品の重量が軽量であるときに青色で点滅する軽量報知手段としての第２警告ランプである。
【００４９】
図２は、図１の計数秤１のブロック図であり、図１に対応する部分には、同一の参照符号を付している。
【００５０】
この実施形態の計数秤１は、１２台の計量器１０1〜１０12を備えており、各計量器１０1〜１０12は、上記の計量皿２と、計量皿２を支持する荷重センサ８と、測定演算回路９とを備えている。各計量器１０1〜１０12は、各計量皿２に載置された複数の個別物品からなる集合品の重量値を測定して制御ユニット４へ送る。
【００５１】
制御ユニット４は、後述の各種の演算を行うと共に、各部を制御する演算制御部１１と、種々の入力データの設定や必要な情報を求めるための演算指令信号や各計量器１０1〜１０12の零点調整、必要なデータを表示させるなどの操作指令信号を作成する入力部７と、各計量器１０1〜１０12の重量測定値や演算情報を表示したり、警報信号を出力表示する表示部６とを備えている。
【００５２】
演算制御部１１と表示部６は、演算制御部１１からの情報を表示部６へ伝達する信号ラインで結ばれ、演算制御部１１と入力部７は、入力部７からの入力信号を演算制御部１１へ伝達する信号ラインで結ばれている。演算制御部１１は、例えばマイクロコンピュータ等によって構成される。
【００５３】
制御ユニット４の演算制御部１１と、各計量器１０1〜１０12の各測定演算回路９との間は、シリアル通信ラインによって連結され、双方向に情報が伝達可能になっている。
【００５４】
本実施形態の計数秤１は、複数の計量器を備えて、各計量器の計量皿２上に載置された物品の個数を計数し、それら個数を組合せて所定の目標組合せ個数となる計量皿２を選択する組合せ演算を行う組合せ式の計数秤であるが、本発明の理解を容易にするために、組合せ式の計数秤の説明に先立って、組合せ式でない計数秤、すなわち、１台の計量器で計量した重量値に基づいて、計量器に載置された物品の個数を計数する計数秤について説明する。この計数秤の場合も組合せ式の計数秤と同様に、図３に示すように、１台の計量器１０ａと制御部４ａとを備え、計量器１０ａは、計量皿２ａと、計量皿２ａを支持する荷重センサ８ａと、測定演算回路９ａとを備えており、制御部４ａは、各種の設定を行なうための設定手段としての入力部７ａ、重量測定値や計数精度評価値等の表示を行う出力手段としての表示部６ａ、及び、前記計量器１０ａからの荷重信号に基づいて、個数を計数すると共に、各種の演算を行う演算制御部１１ａを備えている。この演算制御部１１ａは、個数を計数する個数計数手段、後述の計数精度評価値及び個数決定可否評価値を導出する手段、及び、個数判定用重量範囲を決定する手段としての機能を有する。
【００５５】
図４は、Ｎ個の集合品の重量分布を示す図であり、集合品を構成する個別の物品は、その平均単位重量値ｗａ（ｇ）であって、重量が正規分布するものとする。
【００５６】
一般に計数秤では、上記のように、個別物品の平均単位重量値ｗａを予め求めておき、計量器による個別物品の集合品の重量測定値がＷｘのとき、
Ｎ＝Ｗｘ／ｗａ
とし、Ｎの値を四捨五入して整数値に変換し、個数値を求めている。
【００５７】
今、Ｎ個の集合品の重量測定値Ｗｘが、図４に示すように、
（Ｎ−１／２）・ｗａ ≦ Ｗｘ ＜ （Ｎ＋１／２）・ｗａ
のＮ個の個数判定用の重量範囲にあれば、個数Ｎは、Ｗｘ／ｗａの計算によって求めるので、商の範囲は、
（Ｎ−１／２）≦ Ｗｘ／ｗａ＜（Ｎ＋１／２）
であり、四捨五入によって整数であるＮ個が求まる。
【００５８】
このとき重量測定値Ｗｘの集合品が、精確にＮ個であるには、集合品の重量分布の大部分が、Ｎ個の個数判定用重量範囲である（Ｎ−１／２）・ｗａと（Ｎ＋１／２）・ｗａの重量範囲内にある必要がある。
【００５９】
図５は、平均単位重量値ｗａ（ｇ）、標準偏差σ１＝ｗｓ（ｇ）で重量が正規分布する個別物品による１個、２個、３個、・・・・、Ｎ−１個、Ｎ個、Ｎ＋１個、・・・の集合品の重量の規準正規分布を示す。
【００６０】
各集合品の平均重量値は、ｗａ、２・ｗａ、３・ｗａ、・・・・・、（Ｎ−１）・ｗａ、Ｎ・ｗａ、（Ｎ＋１）・ｗａ（ｇ）、・・・・・であり、標準偏差は、σ＜１＞＝σ１＝ｗｓ（ｇ）、σ＜２＞＝（２1/2）・σ１＝（２1/2）・ｗｓ、σ＜３＞＝（３1/2）・σ１＝（３1/2）・ｗｓ、・・・・・・ 、σ＜Ｎ−１＞＝（Ｎ−１）1/2・σ１＝（Ｎ−１）1/2・ ｗｓ、σ＜Ｎ＞＝（Ｎ1/2）・σ１＝（Ｎ1/2）・ｗｓ、σ＜Ｎ＋１＞＝（Ｎ＋１）1/2・σ１＝（Ｎ＋１）1/2・ｗｓ（ｇ）、・・・と表される。個数の増加と共に、集合品の重量のばらつき量も増大する。
【００６１】
この図５に示すように、個数Ｎ個の集合品と、Ｎ個の近傍の個数の集合品の重量分布を表す規準正規分布には、重複部分ｂ´，ｃ´が存在する。
【００６２】
すなわち、Ｎ個の集合品の重量についての規準正規分布（関数Ｆ＜Ｎ＞とする）の重量範囲（Ｎ−１／２）・ｗａ〜（Ｎ＋１／２）・ｗａに対して、左隣のＮ−１個の集合品の重量の規準正規分布（関数Ｆ＜Ｎ−１＞とする）は、斜線で示す部分ｂ´で重複し、右隣のＮ＋１個の集合品の重量の規準正規分布（関数Ｆ＜Ｎ＋１＞とする）は、横線で示す部分ｃ´で重複する。すなわち、Ｎ個の集合品の重量についての規準正規分布には、Ｎ個の集合品とは標準偏差の異なるＮ−１個の集合品の重量の規準正規分布と、Ｎ個の集合品とは標準偏差の異なるＮ＋１個の集合品の重量の規準正規分布との重複部分ｂ´，ｃ´がそれぞれ存在する。
【００６３】
したがって、集合品の重量Ｗｘが、（Ｎ−１／２）・ｗａ ≦ Ｗｘ ＜ （Ｎ＋１／２）・ｗａであっても、平均単位重量値ｗａに対する標準偏差ｗｓの比率（ｗｓ／ｗａ）が大きい場合や個数Ｎの値が大きい場合には、重量Ｗｘの集合品の個数が、Ｎ個である確率に対して、Ｎ−１個である確率やＮ＋１個である確率が大きい、すなわち、上記重複部分ｂ´，ｃ´が大きくなるので、個数の計数精度が低下する。この点を無視することはできない。
【００６４】
本実施形態では、計数対象である物品の価値などに応じて、従来の計数精度よりも高い精度で計数できるように次のように構成している。
【００６５】
すなわち、従来では、個数Ｎ個を判定するための個数判定用の重量範囲を、上記のように（Ｎ−１／２）・ｗａ ≦ Ｗｘ ＜ （Ｎ＋１／２）・ｗａ、すなわち、（Ｎ−１／２）・ｗａ〜（Ｎ＋１／２）・ｗａとしていたが、本実施形態では、個数別の個数判定用重量範囲を、変更設定できるようにしている。
【００６６】
図６は、図５の個数Ｎ個の集合品についての個数判定用重量範囲を代表的に示す図である。
【００６７】
本実施形態では、計量器上にある平均単位重量値ｗａの個別物品の集合品の重量測定値がＷｘであるとき、集合品の個数Ｎを求めるために、個別物品の個数（１個、２個、３個、・・・・・Ｎ−１個、Ｎ個、Ｎ＋１個、・・・）と、前記平均単位重量ｗａとの積である基準重量値（ｗａ、２・ｗａ、３・ｗａ、・・・・・・、（Ｎ−１）・ｗａ、Ｎ・ｗａ、（Ｎ＋１）・ｗａ、・・・）を中心に個数判定用重量範囲である±ｗｅｘを設定する。
【００６８】
この図６では、個数Ｎと平均単位重量ｗａとの積である基準重量値Ｎ・ｗａを中心として、その上下に±ｗｅｘの重量幅で個数判定用重量範囲が設定される例を示している。
【００６９】
すなわち、Ｎ個の個数判定用重量範囲の下限値ＷＬ＜Ｎ＞と上限値ＷＵ＜Ｎ＞を、
ＷＬ＜Ｎ＞＝Ｎ・ｗａ−ｗｅｘ
ＷＵ＜Ｎ＞＝Ｎ・ｗａ＋ｗｅｘ
・・・（１）
とし、個数Ｎと平均単位重量値ｗａとの積である基準重量値Ｎ・ｗａからの偏差（重量幅）をｗｅｘとすると、
０＜ｗｅｘ≦ｗａ／２
・・・（２）
と置いて、ｗｅｘに（２）式を満足する任意の重量値を、計数秤に対して設定することによって、下限値ＷＬ＜Ｎ＞と上限値ＷＵ＜Ｎ＞を任意の大きさに変更設定し、所望の物品個数Ｎの大きさに対応した個数判定用重量範囲を定める。
【００７０】
個数Ｎを計数する場合に、個数判定用重量範囲を狭く設定すればするほど、図５に示す近傍の個数の集合品の重量分布との上記重複部分ｂ´，ｃ´は少なくなるので、個数の計数精度はよくなる。
【００７１】
ここで、ｗｅｘ＝Ｋ・ｗａ                    ・・・（３）
と置いてＫの値を任意に設定できるようにするが、ｗｅｘは（１／２）・ｗａの大きさまでであるから、設定可能なＫの値は、
Ｋ≦０．５
である。
【００７２】
そして、計数秤では、集合品の重量測定値Ｗｘが、個数別に設定した個数判定用重量範囲のいずれの個数に対応した重量範囲に所属するかを判定し、集合品の重量測定値Ｗｘが、所属する重量範囲に対応する個数を計数値と決定する。
【００７３】
すなわち、個別物品の集合品の重量Ｗｘが、
（１）：ｗａ−ｗｅｘ≦Ｗｘ≦ｗａ＋ｗｅｘ             のとき１個
（２）：２・ｗａ−ｗｅｘ≦Ｗｘ≦２・ｗａ＋ｗｅｘ     のとき２個
（３）：３・ｗａ−ｗｅｘ≦Ｗｘ≦３・ｗａ＋ｗｅｘ     のとき３個
・・・・・・・・・・・・・・・・・・・・・・・・・・・・・・・
（Ｎ−１）：（Ｎ−１）・ｗａ−ｗｅｘ≦Ｗｘ≦（Ｎ−１）・ｗａ+ｗｅｘのときＮ−１個
（Ｎ）：Ｎ・ｗａ−ｗｅｘ≦Ｗｘ≦Ｎ・ｗａ＋ｗｅｘ      のときＮ個
（Ｎ＋１）：（Ｎ＋１）・ｗａ−ｗｅｘ≦Ｗｘ≦（Ｎ＋１）・ｗａ＋ｗｅｘのときＮ＋１個
・・・・・・・・・・・・・・・・・・・・・・・・・・・・・・・
と個数を決定する。
【００７４】
この個数の決定方法としては、上記（１），（２），（３）・・・（Ｎ−１），（Ｎ），（Ｎ＋１）・・・のように個数判定用重量範囲と個数とを対応させたテーブルを予め作成して計数秤に記憶させておき、集合品の重量測定値Ｗｘが、前記テーブルのいずれの個数判定用重量範囲に属するかを順に判定して個数を決定してもよいが、本実施形態では、計数秤は、
（１）Ｗｘ／ｗａの値を求め、整数部の値Ｎを求める。
（２）Ｎが求まると、Ｗｘ／ｗａの値が、
Ｎ−Ｋ≦（Ｗｘ／ｗａ）≦Ｎ＋Ｋ          ・・・（４）
を満足するか否か判定し、満足すれば個数計数値はＮ、満足しなければ個数計数不可能と判定する。なお、個数計数判定不可能と判定された場合には、計数秤は、例えば、表示部６ａにその旨を表示する。この場合、作業者は、計量器１０ａの計量皿２ａに載置されている集合品を構成する個別物品を、別の個別物品と交換して重量値を調整する作業などを行う。
【００７５】
このようにして計数される個数が、どの程度精確であるか表す計数精度評価値を、本実施形態では、次のように定義する。
【００７６】
図６において、平均単位重量値ｗａのＮ個の集合品の重量の分布と、
ＷＬ＜Ｎ＞＝Ｎ・ｗａ−Ｋ・ｗａ
ＷＵ＜Ｎ＞＝Ｎ・ｗａ＋Ｋ・ｗａ
・・・（５）
とで囲まれる重量範囲、すなわち、Ｎ個の個数判定用重量範囲における重量の分布確率が、Ｎ個の集合品の重量Ｗxが個数判定用重量範囲にある確率ｐ＜Ｎ＞（ａで示す部分）と、Ｎ−１個の集合品の重量が個数判定用重量範囲にある確率ｐ＜Ｎ−１＞（ｂで示す部分）と、Ｎ＋１個の集合品の重量が個数判定用重量範囲にある確率をｐ＜Ｎ＋１＞（ｃで示す部分）とで構成されることから、個数の計数精度の評価値Ｐ＜Ｎ＞を、
Ｐ＜Ｎ＞＝（ｐ＜Ｎ−１＞十ｐ＜Ｎ＋１＞）／ｐ＜Ｎ＞
・・・（６）
と定義する。すなわち、Ｎ個の集合品の重量Ｗxが個数判定用重量範囲にある確率ｐ＜Ｎ＞に対する、Ｎ−１個の集合品の重量が個数判定用重量範囲にある確率ｐ＜Ｎ−１＞とＮ＋１個の集合品の重量が個数判定用重量範囲にある確率をｐ＜Ｎ＋１＞との和の比率としている。
【００７７】
この計数精度の評価値Ｐ＜Ｎ＞では、分母のｐ＜Ｎ＞の値が大きく、分子の（ｐ＜Ｎ−１＞＋ｐ＜Ｎ＋１＞）が小さいほど、すなわち、図６の重量分布の重複部分ｂ，ｃが小さいほど、計数された物品の個数Ｎ個が、実際にＮ個である確率が高い、すなわち、個数の計数精度が高い。この計数精度の評価値Ｐ＜Ｎ＞の値は、「０」に近い値であるほど高い精度で個数を計数できることになる。
【００７８】
所定の個数を計数する場合に、個数判定用重量範囲を狭く設定すればするほど、上記のように個数の計数精度はよくなる。また、個数判定用重量範囲を狭く設定すればするほど、所定の計数精度において、一度に計数できる個数、すなわち、計量器に一度に載置して計数できる物品の最大個数は増加する。
【００７９】
しかし、個数判定用重量範囲を狭く設定すればするほど、集合品の重量測定値Ｗｘが、個数判定用重量範囲以外の、個数を決定できない重量範囲に入り易くなり、個数を決定できる確率が減少する。
【００８０】
本実施形態では、個数を決定できる可能性の程度を評価するために、個数決定可否評価値を定義する。次に、この個数決定可否評価値について説明する。
【００８１】
個数判定用の重量範囲から言えば、個数を決定できる確率は、本実施形態の個数判定用重量範囲（ＷＵ＜Ｎ＞−ＷＬ＜Ｎ＞）の、図４の従来の個数判定用重量範囲ｗａに対する比率、すなわち、
（ＷＵ＜Ｎ＞−ＷＬ＜Ｎ＞）／ｗａ
で表すことができる。
【００８２】
本実施形態では、より精確な評価を行うために、個数決定可否評価値を、重量Ｗｘの集合品が、ＷＵ＜Ｎ＞〜ＷＬ＜Ｎ＞の個数判定用重量範囲に現れる確率の、（Ｎ−１／２）・ｗａ〜（Ｎ＋１／２）・ｗａの重量範囲に現れる確率に対する比率としている。（Ｎ−１／２）・ｗａ〜（Ｎ＋１／２）・ｗａの重量範囲は、１００％個数を決定できる従来の個数判定用重量範囲である。
【００８３】
重量Ｗｘの集合品が、ＷＵ＜Ｎ＞〜ＷＬ＜Ｎ＞の個数判定用重量範囲に現れる確率Ｐａ＜Ｎ＞は、Ｎ個の集合品の重量Ｗxが個数判定用重量範囲（ＷＵ＜Ｎ＞〜ＷＬ＜Ｎ＞）に現れる確率ｐ＜Ｎ＞と、Ｎ−１個の集合品の重量が個数判定用重量範囲（ＷＵ＜Ｎ＞〜ＷＬ＜Ｎ＞）に現れる確率ｐ＜Ｎ−１＞と、Ｎ＋１個の集合品の重量が個数判定用重量範囲（ＷＵ＜Ｎ＞〜ＷＬ＜Ｎ＞）に現れる確率をｐ＜Ｎ＋１＞とによって、下記のように表される。
【００８４】
Ｐａ＜Ｎ＞＝ｐ＜Ｎ＞＋（ｐ＜Ｎ−１＞＋ｐ＜Ｎ＋１＞）
・・・（７）
一方、重量Ｗｘの集合品が、（Ｎ−１／２）・ｗａ〜（Ｎ＋１／２）・ｗａの重量範囲に現れる確率Ｐｂ＜Ｎ＞は、Ｎ個の集合品の重量が、この重量範囲に現れる確率をｐ´＜Ｎ＞、Ｎ−１個の集合品の重量が、この重量範囲に現れる確率をｐ´＜Ｎ−１＞、Ｎ＋１個の集合品の重量が、この重量範囲に現れる確率をｐ´＜Ｎ＋１＞とすると、
Ｐｂ＜Ｎ＞＝ｐ´＜Ｎ＞＋ｐ´＜Ｎ−１＞＋ｐ´＜Ｎ＋１＞
・・・（８）
であるから、本実施形態では、個数決定可否評価値を、
個数決定可否評価値＝Ｐａ＜Ｎ＞／Ｐｂ＜Ｎ＞
・・・（９）
で表す。
【００８５】
なお、Ｎ−２個以下の集合品の重量分布、及び、Ｎ＋２個以上の集合品の重量分布も（Ｎ−１／２）・ｗａ ≦ Ｗｘ  ＜（Ｎ＋１／２）・ｗａの範囲において重なるが、以降の計算では、Ｎ−２個以下、Ｎ＋２個以上の集合品の重量分布に対する確率は小さいので無視する。しかし極めて個別物品バラツキ量が大きく、その結果、集合品のバラツキ量も極めて大きい場合は、誤差要素として計数精度評価値や個数決定可否評価値の計算に加えてもよい。
【００８６】
また、本発明の他の実施形態として、Ｎ−１個の集合品の重量分布及びＮ＋１個の集合品の重量分布の重なりを無視して、個数決定可否評価値を、
個数決定可否評価値＝Ｐａ＜Ｎ＞／Ｐｂ＜Ｎ＞
＝ｐ＜Ｎ＞／ｐ´＜Ｎ＞
としてもよい。
【００８７】
次に、計数精度評価値及び個数決定可否評価値の算出について、更に詳細に説明する。
【００８８】
作業者は、計数作業に先立って、不特定多数の個別の物品をサンプル品として重量値を測定して、物品１個当たりの平均単位重量値ｗａ（g）、標準偏差ｗs（ｇ）を予め求めておく。
【００８９】
そして、作業者は、計数秤に対して、予め求めた平均単位重量値μ＝ｗａ（ｇ）、標準偏差σ１＝ｗｓ（ｇ）を設定し、また、計数秤の計量器に一度に載置して計数する所望の最大個数Ｎを設定する。この最大個数Ｎは、例えば、個別物品を計数して所定個数のパック詰めの包装商品を製造する場合に、前記所定個数に対応した個数を設定する。例えば、個別物品５０個のパック詰めの包装商品を、１回の計量によって計数するような場合には、最大個数を５０個としてもよく、また、２回の計量に分けて計数するような場合には、最大個数を２５個としてもよい。
【００９０】
計数秤には、ｗｅｘ＝Ｋ・ｗａ、（Ｋ≦０．５）において、Ｋ＝０．５がデフォルト値として設定されているが、Ｋの値は、Ｋ≦０．５の範囲で任意に設定変更することができる。
【００９１】
計数秤には、Ｋの値に応じた個数判定用重量範囲の下限値（最小値）と上限値（最大値）である、
ＷＬ＜Ｎ＞＝Ｎ・ｗａ-Ｋ・ｗａ
ＷＵ＜Ｎ＞＝Ｎ・ｗａ＋Ｋ・ｗａ
の値が、表示部６ａに表示される。
【００９２】
計量器へ載置できる最大の（上限の）重量Ｗｘｍは、最大個数に対応する個数判定用重量範囲の上限値に等しい。
【００９３】
Ｋ＝０．５のデフォルト値では、従来と同様の個数判定用重量範囲となり、Ｎ個の集合品の重量Ｗｘが、（Ｎ−１／２）・ｗａ〜（Ｎ＋１／２）・ｗａに現れる確率ｐｍ＜Ｎ＞と、Ｎ−１個の集合品の重量Ｗｘが、（Ｎ−１／２）・ｗａ〜（Ｎ＋１／２）・Ｗａに現れる確率ｐｍ＜Ｎ−１＞と、Ｎ＋１個の集合品の重量Ｗｘが、（Ｎ−１／２）・ｗａ〜（Ｎ＋１／２）・ｗａに現れる確率ｐｍ＜Ｎ＋１＞ とを、後述のようにして求めることができるので、計数精度評価値は、上記の定義によって、
Ｐｍ＜Ｎ＞＝（ｐｍ＜Ｎ−１＞＋ｐｍ＜Ｎ＋１＞）／ｐｍ＜Ｎ＞
・・・・（１０）
として算出される。
【００９４】
また、個数決定可否評価値は、個数判定用重量範囲が、従来の個数判定用重量範囲（Ｎ−１／２）・ｗａ〜（Ｎ＋１／２）・ｗａと同じであるので、
ｐｍ＜Ｎ＞＝ｐ´＜Ｎ＞、ｐｍ＜Ｎ−１＞＝ｐ´＜Ｎ−１＞、ｐｍ＜Ｎ＋１＞＝ｐ´＜Ｎ＋１＞となり、Ｐａ＜Ｎ＞＝Ｐｂ＜Ｎ＞であり、個数決定可否評価値＝１が算出される。
【００９５】
個数の計数精度が精確か否かは別にして、個数決定可否評価値＝１であるので、個数は、従来と同様に１００％決定することができ、個数決定可否評価値は、最も大きい。
【００９６】
今、計数秤に対して、平均単位重量値ｗａ、標準偏差ｗｓの値が設定され、Ｋの値がＫ＝０．５に設定され、計量器の計量皿に載置して一度の計量で計数したい最大個数Ｎｍが設定されたとする。
【００９７】
Ｋ＝０．５に応じた個数判定用重量範囲は、従来の個数判定用重量範囲（Ｎ−１／２）・ｗａ〜（Ｎ＋１／２）・ｗａと同じであり、個数計数精度評価値は、
Ｐ＜Ｎ＞＝（ｐ＜Ｎ−１＞＋ｐ＜Ｎ＋１＞）／ｐ＜Ｎ＞
・・・（１１）
が計算されて表示部６ａに表示され、個数決定可否評価値は、Ｐａ＜Ｎ＞／Ｐｂ＜Ｎ＞＝１が計算されて表示される。
【００９８】
ここで、作業者は、計数秤の入力部７ａを操作して、Ｋの設定値を任意に設定する、或いは、Ｋの設定値を所定のステップ単位（例えば０．０１）で漸減、又は、漸増させる。
【００９９】
計数秤では、Ｋの設定値の変化に応じて、最大個数Ｎｍの計数精度評価値と、最大個数Ｎｍの個数判定用重量範囲の下限値（最小値）及び上限値（最大値）と、最大個数Ｎｍの個数決定可否評価値とを上記のようにして算出し、表示部６ａに表示する。すなわち、計数秤の表示部６ａには、Ｋの設定値の変化に応じて、最大個数Ｎｍの計数精度評価値と、最大個数Ｎｍの個数判定用重量範囲の下限値（最小値）及び上限値（最大値）と、最大個数Ｎｍの個数決定可否評価値とが表示される。
【０１００】
これによって、作業者は、個別の物品の価値や作業効率などを考慮して、適切な計数精度評価値と個数決定可否評価値になるＫの値を選択することができる。例えば、個別の物品が高価であって、従来よりも高い精度で計数したい場合には、Ｋを、「０．５」未満の値に設定する。また、計数精度は、高いけれども、個数決定可否評価値の値が小さく、個数決定の確率が減る場合には、個数決定ができず、計量器に載置された個別物品を交換して重量を調整する作業が必要となるので、作業効率を考慮して、Ｋの値として、より大きな値を設定する。
【０１０１】
更に、所望の計数精度評価値と個数決定可否評価値が得られない場合には、一度に計量器に載置して計数する個別物品の最大個数Ｎｍを小さい値に設定し、Ｋの値を設定し直すこともできる。
【０１０２】
このように作業者は、最大個数Ｎ、計数精度評価値、及び、個数決定可否評価値に基づいて、適切なＫの値、すなわち、個数判定用重量範囲を設定し、計数作業を行うことが可能となる。
【０１０３】
次に、上記のＮ個の集合品の重量Ｗxが個数判定用重量範囲にある確率ｐ＜Ｎ＞、Ｎ−１個の集合品の重量が個数判定用重量範囲にある確率ｐ＜Ｎ−１＞、Ｎ＋１個の集合品の重量が個数判定用重量範囲にある確率ｐ＜Ｎ＋１＞の求め方について説明する。
【０１０４】
(１)図６の規準正規分布関数Ｆ＜Ｎ＞と、境界ラインである下限値ＷＬ＜Ｎ＞と、上限値ＷＵ＜Ｎ＞とで囲まれた面積部分ａの確率：
Ｎ・ｗａの集合品の重量分布では、標準偏差はσ＜Ｎ＞＝（Ｎ）1/2・σ１＝（Ｎ）1/2・ｗｓである。
したがって、境界ラインＷＬ＜Ｎ＞の、規準正規分布関数Ｆ＜Ｎ＞における正規値ＺＬ＜Ｎ＞は、
ＺＬ＜Ｎ＞＝−Ｋ・ｗａ/｛（Ｎ）1/2・ｗｓ｝
・・・（１２）
規準正規分布関数Ｆ＜Ｎ＞における境界ラインＷＵ＜Ｎ＞の正規値ＺＵ＜Ｎ＞は、
ＺＵ＜Ｎ＞＝Ｋ・ｗａ／｛（Ｎ）1/2・ｗｓ｝
・・・（１３）
であるから、規準正規分布表を使用し、ＺＬ＜Ｎ＞とＺＵ＜Ｎ＞の間の確率ｐ＜Ｎ＞を求める。
【０１０５】
(２）図６の規準正規分布関数Ｆ＜Ｎ−１＞と、境界ラインである下限値ＷＬ＜Ｎ＞と、上限値ＷＵ＜Ｎ＞とで囲まれた面積部分ｂの確率：
Ｎ−１個の正規分布の規準正規分布関数をＦ＜Ｎ−１＞とする。
（Ｎ−１）・ｗａの集合品の重量分布では、標準偏差はσ＜Ｎ−１＞＝（Ｎ−１）1/2・σ１＝（Ｎ−１）1/2・ｗｓである。
【０１０６】
したがって、境界ラインＷＬ＜Ｎ＞の、規準正規分布関数Ｆ＜Ｎ−１＞における正規値ＺＬ＜Ｎ−１＞は、Ｎ−１個の正規分布の平均から境界ラインＷＬ＜Ｎ＞まで図６に示されるようにＬ１離れており、
Ｌ１＝ｗａ−Ｋ・ｗａ＝（１−Ｋ）・ｗａであるから、
ＺＬ＜Ｎ−１＞＝（１−Ｋ）・ｗａ／｛（Ｎ−１）1/2・ｗｓ｝
・・・（１４）
また、境界ラインＷＵ＜Ｎ＞の、規準正規分布関数Ｆ＜Ｎ−１＞における正規値ＺＵ＜Ｎ−１＞は、Ｎ−１個の正規分布の平均から境界ラインＷＵ＜Ｎ＞まで図６に示されるようにＬ２離れており、
Ｌ２＝Ｌ１＋２・ｗｅｘ＝（１−Ｋ）・ｗａ＋２Ｋ・ｗａ＝（１＋Ｋ）・ｗａであるから、
ＺＵ＜Ｎ−１＞＝（１＋Ｋ）・ｗａ／｛（Ｎ−１）1/2・ｗｓ｝
・・・（１５）
となり、規準正規分布表を使用し、ＺＬ＜Ｎ−１＞とＺＵ＜Ｎ−１＞の間の確率ｐ＜Ｎ−１＞を求める。
【０１０７】
(３）図６の規準正規分布関数Ｆ＜Ｎ＋１＞と、境界ラインである下限値ＷＬ＜Ｎ＞と、上限値ＷＵ＜Ｎ＞とで囲まれた面積部分ｃの確率：
（Ｎ＋１）・ｗａの集合品の重量分布では、標準偏差はσ＜Ｎ＋１＞＝（Ｎ＋１）1/2・ σ１＝（Ｎ＋１）1/2・ｗｓである。
【０１０８】
規準正規分布関数Ｆ＜Ｎ＋１＞における境界ラインＷＬ＜Ｎ＞の正規値ＺＬ＜Ｎ＋１＞は、Ｎ＋１個の正規分布の平均から境界ラインＷＬ＜Ｎ＞まで図６に示されるようにＬ４離れており、
Ｌ４＝−（１＋Ｋ）・ｗａであるから、
ＺＬ＜Ｎ＋１＞＝−（１＋ｋ）・ｗａ／｛（Ｎ＋１）1/2・ｗｓ｝
・・・（１６）
規準正規分布関数Ｆ＜Ｎ＋１＞における境界ラインＷＵ＜Ｎ＞の正規値ＺＵ<Ｎ+１>は、Ｎ＋１個の正規分布の平均から境界ラインＷＵ＜Ｎ＞まで図６に示されるようにＬ３離れており、
Ｌ３＝−（１−Ｋ）・ｗａであるから、
ＺＵ＜Ｎ＋１＞＝−（１−Ｋ）・ｗａ／｛（Ｎ＋１）1/2・ｗｓ｝
・・・（１７）
となり、規準正規分布表を使用し、−ＺＬ＜Ｎ＋１＞と−ＺＵ＜Ｎ＋１＞との間の確率ｐ＜Ｎ＋１＞を求める。
【０１０９】
一方、ｐ´＜Ｎ＞、ｐ´＜Ｎ−１＞、ｐ´＜Ｎ＋１＞の値は、それぞれ、Ｋ＝０．５とした場合のｐ＜Ｎ＞、ｐ＜Ｎ−１＞、ｐ＜Ｎ＋１＞の値であり、個数決定可否評価値は、
個数決定可否評価値＝Ｐａ＜Ｎ＞／Ｐｂ＜Ｎ＞
＝（ｐ＜Ｎ＞＋ｐ＜Ｎ−１＞＋ｐ＜Ｎ＋１＞）／（ｐ´＜Ｎ＞＋ｐ´＜Ｎ−１＞＋ｐ´＜Ｎ＋１＞）
・・・（１８）
である。
【０１１０】
計数秤では、Ｋの値の変更に応じて、個数判定用重量範囲の上下限値ＷＵ＜Ｎ＞，ＷＬ＜Ｎ＞と、個数の計数精度評価値と、個数決定可否評価値を求め、表示部６ａに表示する。従来のＫ＝０．５に固定した場合のそれらの値も同時に表示し、作業者は、比較しながら適切なＫの値を決める。
【０１１１】
例えば、最大計数個数Ｎｍが設定され、デフォルト値Ｋ＝０．５による最大計数個数Ｎｍに対する個数計数精度評価値が算出され、表示され、又そのときの個数決定可否評価値が算出される。表示された状態で作業者が目標個数計数精度評価値以下とするＫを定めるためにＫの値を０．０１ずつ漸減させるとき、
最大個数Ｎｍと同様にＮｍ−１個、Ｎｍ−２個、・・・・・、２個の計数に関する上下限重量範囲の決定に最大個数Ｎｍと同じＫの値を一律に適用してもよいが、Ｎｍ−１以下の個数を判定する上下限重量範囲を定めるＫの値は、下記のように個数毎に異なる値を定めるようにしてもよい。
【０１１２】
つまり、Ｎｍ−１個以下についての上下限重量範囲を定めるＫ値について、Ｎｍ個を判定する個数計数精度評価値を超えない限りはＫ値を減少させず、個数決定可否評価値をできるだけ減少させず維持する方法である。
【０１１３】
個数を判定する上下限重量範囲を定めるＫの値を、それぞれＮｍ個用としてＫ＜Ｎｍ＞、Ｎｍ−１個用としてＫ＜Ｎｍ−１＞、Ｎｍ−２個用としてＫ＜Ｎｍ−２＞、・・・・・・・・・、Ｋ＜２＞個用としてＫ＜２＞とする。
【０１１４】
最初、デフォルト値、或いはＫ値をリセットしたときの値としてＫ＜Ｎｍ＞〜Ｋ＜２＞＝０．５が与えられるとする。
【０１１５】
最大個数Ｎｍを設定すると、その場合に設定されているＫ値に対応する計数精度評価値と個数決定可否値とが表示される。
【０１１６】
作業者がＫ値を１ステップ（たとえば０．０１）ずつ漸減させると、漸減に応じて計数精度評価値と個数決定可否値と表示値が変化する。
【０１１７】
作業者が表示値を見て適切な計数精度評価値と個数決定可否値であると判断したときＫ値を決定するキースイッチを押すことでＫ値が設定され、最大個数Ｎｍに関する計数精度評価値と個数決定可否値が決まる。
【０１１８】
Ｎｍ個、Ｎｍ−１個、Ｎｍ−２個、・・・、２個の個数判定を行う上下限重量範囲を決定するＫ値をそれぞれＫ＜ｍ＞、Ｋ＜Ｎｍ−１＞、Ｋ＜Ｎｍ−２＞、・・・、Ｋ＜２＞とすると、最大個数ＮｍについてのＫ値＝Ｋ＜Ｎｍ＞が決定した時点で各個数Ｎｍ−１〜２個の判定を行う上下限重量範囲がいずれも目標とする計数精度評価値以下となるＫ値であるＫ＜Ｎｍ−１＞、Ｋ＜Ｎｍ−２＞、・・・、Ｋ＜２＞を定める。
【０１１９】
こうすることによって各個数の個数判定についてできるだけ判定範囲を狭くしないようにし、個数決定可否値を小さくしないようにする。
【０１２０】
Ｎｍ個に対するＫ値＝Ｋ＜Ｎｍ＞を決定するスイッチを押した時点で下記の計算を行う。
【０１２１】
先ず、Ｎｍ−１個用の個数計数判定用の上下限重量範囲について、現在Ｋ＜Ｎｍ−１＞として設定されている値について、Ｎｍ−１個に対する個数計数判定用の上下限重量範囲に基づいて、Ｎｍ個の場合と同様に計数精度評価値を算出し、算出値が目標計数精度評価値以下の場合は、現在のＫ＜Ｎｍ−１＞を適用する。（この場合はＮｍ−２個以下も現在のＫ値を適用する。）
算出値が目標計数精度評価値を超える場合には、Ｋ＜Ｎｍ−１＞を０．０１ずつ減じて計数精度評価値を算出する。
【０１２２】
Ｋ＜Ｎｍ−１＞を０．０１ずつ減少させる過程で、算出した計数精度評価値が初めて目標計数精度評価値以下となるＫ＜Ｎｍ−１＞の値をもって、個数Ｎｍ−１個用のＫ値と決定する。
【０１２３】
続いてＮｍ−２個〜２個用の個数計数判定用の上下限重量範囲についても上記と同様に計算してＫ＜Ｎｍ−２＞〜Ｋ＜２＞を決定する。
【０１２４】
また、これらの値が作業性の上で、また品質の上で適切でなければＮの値を変更して実施する。
【０１２５】
上記の例では、作業者は、計数秤の入力部７ａを操作して、Ｋの設定値を任意に、或いは、所定のステップ単位で漸減、又は、漸増させ、それに応じて導出されて表示部６ａに表示される最大個数の計数精度評価値、最大個数の個数判定用重量範囲の上下限値、及び、最大個数の個数決定可否評価値に基づいて、適切なＫの値を設定するようにしたけれども、計数精度評価値及び個数決定可否評価値を自動設定するようにしてもよい。
【０１２６】
次に、計数精度評価値及び個数決定可否評価値の自動設定について説明する。
【０１２７】
先ず、個数決定可否評価値の自動設定について説明する。計数秤には、平均単位重量ｗａ、標準偏差σ１＝ｗｓ、及び、計量器に一度に載置して計数する最大個数Ｎが設定される。
【０１２８】
作業者は、入力部７ａを操作して計数秤に対して、計数精度評価値の目標値を任意に設定して、個数決定可否評価値の自動算出のためのキースイッチを操作する。計数秤は、Ｋ＝０．５の場合に求まる計数精度評価値Ｐ＜Ｎ＞を表示しており、作業者は、少なくとも表示されている計数精度評価値よりも小さい任意の目標値を設定する。
【０１２９】
計数秤は、前記キースイッチの操作によって、Ｋの値を、デフォルト値である０．５から例えば０．０１ずつ自動的に減少させ、各Ｋの値に応じた計数精度評価値を、上記ように順次算出する。但し、Ｋの値は、Ｋ＞０である。
【０１３０】
算出した計数精度評価値が、初めて目標値以下になれば計算を停止し、そのときのＫの値に対応する個数決定可否評価値を算出すると共に、個数判定用重量範囲の上限値（最大値）及び下限値（最小値）を算出して個数判定用重量範囲を決定する。算出された計数精度評価値、個数決定可否評価値、及び、Ｎ個の場合の個数判定用重量範囲の上限値（最大値）と下限値（最小値）とを表示部６ａに表示する。この上限値（最大値）が、目標値を満足する所定の精度評価値で計数可能な最大重量値である。
【０１３１】
また、Ｋ＝０．５の場合に求まる個数計数精度評価値は、
Ｐ´＜Ｎ＞＝（ｐ´＜Ｎ−１＞＋ｐ´＜Ｎ＋１＞）／ｐ´＜Ｎ＞
であり、Ｋの減少過程において、 ｐ＜Ｎ＞のｐ´＜Ｎ＞に対する減少率が、（ｐ＜Ｎ−１＞＋ｐ＜Ｎ＋１＞）の（ｐ´＜Ｎ−１＞＋ｐ´＜Ｎ＋１＞）に対する減少率より小さい状態のときには、
Ｐ´＜Ｎ＞＝（ｐ´＜Ｎ−１＞＋ｐ´＜Ｎ＋１＞）／ｐ´＜Ｎ＞より
Ｐ＜Ｎ＞＝（ｐ＜Ｎ−１＞＋ｐ＜Ｎ＋１＞）／ｐ＜Ｎ＞の方が小さくなるので個数計数精度評価値は、良くなる。
【０１３２】
計数秤では、設定された目標値を満足する値が得られない場合には、算出不可の報知サインを出力し、表示部６ａへ表示する。
【０１３３】
この場合、Ｋの値を、適切な個数計数精度評価値と個数決定可否評価値が表示されるまで手動で変化させるようにしてもよい。
【０１３４】
更に、上記の操作を、最大個数Ｎの値を変更して実施してもよい。
【０１３５】
Ｋ値を個数毎に定める場合は、Ｋの値を漸減変化させ、最大計数値Ｎ＝Ｎｍについての計数精度評価値が初めて目標値以下になるＫ＜Ｎｍ＞を得た時点で、それぞれＮｍ−１個〜２個用の個数計数判定用の上下限重量範囲についてのＫ値であるＫ＜Ｎｍ−１＞、Ｋ＜Ｎｍ−２＞、・・・、Ｋ＜２＞を上記のように計算して決定すればよい。
【０１３６】
このようにして、計数精度評価値の目標値を設定することによって、目標値を満足するＫの値、すなわち、個数判定用重量範囲の上限値（最大値）及び下限値（最小値）を決定して表示すると共に、個数決定可否評価値が自動的に算出されて表示される。
【０１３７】
次に、計数精度評価値を自動設定する場合には、作業者は、入力部７ａを操作して計数秤に対して、個数決定可否評価値の目標値を、最大である１（Ｋ＝０．５）と最小である０（Ｋ＝０）との間で任意に設定して、計数精度評価値の自動算出のためのキースイッチを操作する。
【０１３８】
計数秤は、前記キースイッチの操作によって、Ｋの値を、デフォルト値である０．５から例えば０．０１ずつ自動的に減少させ、各Ｋの値に応じた個数決定可否評価値を、上記ように順次算出する。算出した個数決定可否評価値が、初めて目標値未満になれば、その直前のＫの値に対応する計数精度評価値を算出し、この計数精度評価値を表示部６ａに表示すると共に、直前のＫの値に対応する個数決定可否評価値、個数判定用重量範囲の上限値（最大値）及び下限値（最小値）を算出し、Ｎ個の場合の上限値（最大値）及び下限値（最小値）を表示部６ａに表示する。
【０１３９】
最大値が所定の個数決定可否評価値で計数可能な最大重量値である。
【０１４０】
満足する値が得られない場合、Ｎの値を変更して実施してもよい。
【０１４１】
個数決定可否評価値についてのＫ値も、上記のように最大個数Ｎ＝Ｎｍが決定されたとき、Ｋ値をＮｍ−１個〜２個についても一律と決定せず、各個数ともに目標個数決定可否評価値以上であることを条件に、各個数毎に異なる値に定めてもよい。
【０１４２】
目標個数決定可否評価値も計数精度評価値を良くする（小さくする）ために1以下の値に定める性質のものである。
【０１４３】
最大個数Ｎｍについて、設定した目標個数決定可否評価値以上とするＫ＜Ｎｍ＞を定めると、定めたＫ＜Ｎｍ＞に対する計数精度評価値を算出する。
【０１４４】
Ｎｍ−1個については、Ｋ＜Ｎｍ＞のときの計数精度評価値に基づいてＫ値を定める。
【０１４５】
現在のＫ＜Ｎｍ−１＞で定まるＮｍ−1個についての計数精度評価値が上記のＫ＜Ｎｍ＞のときの計数精度評価値を超えるときは、この計数精度評価値以下になるＫ＜Ｎｍ−１＞を求め、上記のＫ＜Ｎｍ＞のときの計数精度評価値以下のときはＫ＜Ｎｍ−１＞の値を変更しない。Ｋ＜Ｎｍ−２＞以下についても同様にそれぞれの値を定める。
＜計算事例＞
次に、具体的な数値を当てはめた計算事例を、図７〜図９に基づいて説明する。
【０１４６】
個別物品の１個当りの平均単位重量μ＝ｗａ＝１０（ｇ）、標準偏差σ＝ｗｓ＝５／８（ｇ）、最大個数としてＮ＝１６（個）が設定されたとする。
＜計算事例−１＞ 個数判定用重量範囲としてＫ＝０．５が設定された場合（図７）
・規準正規分布関数Ｆ＜Ｎ＞の標準偏差（Ｎ）1/2・ ｗｓ＝１６1/2・（５／８）
・個数判定用重量範囲の下限重量値ＷＬ＜Ｎ＞の正規値ＺＬ＜Ｎ＞は、
ＺＬ＜Ｎ＞＝−Ｋ・ｗａ／｛（Ｎ）1/2・ｗｓ｝＝−０．５*１０／１６1/2（５／８）＝−２．０（シグマ）
・個数判定用重量範囲の上限重量値ＷＵ＜Ｎ＞の正規値ＺＵ＜Ｎ＞は、
ＺＵ＜Ｎ＞＝Ｋ・ｗａ／｛（Ｎ）1/2・ｗｓ｝=２．０（シグマ）
・規準正規分布表より、ｐ＜Ｎ＞＝０．４７７２＋０．４７７２＝０．９５４４
・規準正規分布関数Ｆ＜Ｎ−１＞の標準偏差（Ｎ−１）1/2・ ｗｓ＝（１５）1/2・（５／８）
・下限重量値ＷＬ＜Ｎ＞の正規値ＺＬ＜Ｎ−１＞は、
ＺＬ＜Ｎ−１＞＝（１−Ｋ）・ｗａ／｛（Ｎ−１）1/2・ｗｓ｝
＝０．５*１０／（１５）1/2・（５／８）＝８／（１５）1/2
＝２．０７（シグマ）
・上限重量値ＷＵ＜Ｎ＞の正規値ＺＵ＜Ｎ−ｌ＞は、
ＺＵ＜Ｎ−１＞＝（１＋Ｋ）・ｗａ／｛（Ｎ−１）1/2・ｗｓ｝
＝１．５＊１０／（１５）1/2・（５／８）＝３*８／（１５）1/2
＝６．１９７（シグマ）
・規準正規分布表より、ｐ＜Ｎ−１＞＝０．５−０．４８０８＝０．０１９２
・規準正規分布関数Ｆ＜Ｎ＋１＞の標準偏差（Ｎ＋１）1/2・ｗｓ＝（１７）1/2・（５／８）
・下限重量値ＷＬ＜Ｎ＞の正規値ＺＬ＜Ｎ＋１＞は、
ＺＬ<Ｎ+１>=-（１+Ｋ）・ｗａ/｛（Ｎ+１）1/2・ｗｓ｝
＝−１．５*１０／（１７）1/2・（５／８）
＝−３*８／（１７）1/2＝−５．８２０９（シグマ）
・上限重量値ＷＵ＜Ｎ＞の正規値ＺＵ＜Ｎ＋ｌ＞は、
ＺＵ＜Ｎ＋１＞＝−（１−Ｋ）・ｗａ／｛（Ｎ＋１）1/2・ｗｓ｝
＝− ０．５*１０／（１７）1/2・（５／８）＝−８／（１７）1/2
＝− １．９４０３（シグマ）
・規準正規分布表より、ｐ＜Ｎ＋１＞＝０．５−０．４７３８＝０．０２１７
以上より、
個数計数精度評価値は、
Ｐ＜Ｎ＞＝（ｐ＜Ｎ−ｌ＞＋ｐ＜Ｎ＋１＞）／ｐ＜Ｎ＞
＝（０．０１９２  ＋０．０２１７）／０．９５４４＝０．０４２９
個数決定可否評価値＝Ｐａ＜Ｎ＞／Ｐｂ＜Ｎ＞
＝１
＜計算事例−２＞個数判定用重量範囲としてＫ＝０．４が設定された場合（図８）
・規準正規分布関数Ｆ＜Ｎ＞の標準偏差（Ｎ）1/2・ｗｓ＝１６1/2・（５／８）
・個数判定用重量範囲の下限重量値ＷＬ＜Ｎ＞の正規値ＺＬ＜Ｎ＞は、
ＺＬ＜Ｎ＞＝Ｋ：ｗａ／｛（Ｎ）1/2・ｗｓ｝＝−０．４*１０／１６1/2（５／８）
＝−８／５
＝−１．６（シグマ）
・個数判定用重量範囲の上限重量値ＷＵ＜Ｎ＞の正規値ＺＵ＜Ｎ＞は、
ＺＵ＜Ｎ＞＝Ｋ・ｗａ／｛（Ｎ）1/2・ｗｓ｝＝１．６（シグマ）
・規準正規分布表より、ｐ＜Ｎ＞＝０．４４５２＋０．４４５２＝０．８９０４
・規準正規分布関数Ｆ＜Ｎ−１＞の標準偏差（Ｎ−１）1/2・ｗｓ＝（１５）1/2・（５／８）
・下限重量値ＷＬ＜Ｎ＞の正規値ＺＬ＜Ｎ−１＞は、
ＺＬ＜Ｎ−１＞＝（１−Ｋ）・ｗａ／｛（Ｎ−１）1/2・ｗｓ｝
＝０．６*１０／（１５）1/2・ （５／８）
＝４８／５*（１５）1/2＝  ２．４７８７（シグマ）
・上限重量値ＷＵ＜Ｎ＞の正規値ＺＵ＜Ｎ−１＞は、
ＺＵ＜Ｎ−１＞＝（１＋Ｋ）・ｗａ／｛（Ｎ−１）1/2・ｗｓ｝
＝１．４*１０／（１５）1/2・ （５／８）
＝１４*８／５*（１５）1/2＝ ５．７８３６（シグマ）
・規準正規分布表より、ｐ＜Ｎ−１＞＝０．５−０．４９３４＝０．００６６
・規準正規分布関数Ｆ＜Ｎ＋１＞の標準偏差（Ｎ＋１）1/2・ｗｓ＝（１７）1/2・（５／８）
・下限重量値ＷＬ＜Ｎ＞の正規値ＺＬ＜Ｎ＋１＞は、
ＺＬ＜Ｎ＋１＞＝−（１＋Ｋ）・ｗａ／｛（Ｎ＋１）1/2・ｗｓ｝）
−１．４*１０／（１７）1/2・（５／８）＝−１４*８／５*（１７）1/2＝− ５．４３２８（シグマ）
・上限重量値ＷＵ＜Ｎ＞の正規値ＺＵ＜Ｎ＋１＞は、
ＺＵ＜Ｎ＋１＞＝−（１−Ｋ）・ｗａ／｛（Ｎ＋１）1/2・ｗｓ｝
＝−０．６*１０／（１７）1/2・（５／８）＝−６*８／５*（１７）1/2＝− ２．３２８３（シグマ）
・規準正規分布表より、ｐ＜Ｎ＋１＞＝０．５−０．４９０１＝０．００９９
以上より、
個数計数精度評価値は、
Ｐ＜Ｎ＞＝（ｐ＜Ｎ−１＞＋ｐ＜Ｎ＋１＞）／ｐ＜Ｎ＞
＝（０．００６６  ＋０．００９９）／０．８９０４＝０．０１８５３
個数決定可否評価値＝Ｐａ＜Ｎ＞／Ｐｂ＜Ｎ＞
＝（０．８９０４＋０．００６６＋０，００９９）／（０．９５４４＋０．０１９２＋０．０２１７）＝０．９０６９／０．９９５３
＝０．９１１
＜計算事例−３＞ 個数判定用重量範囲としてＫ＝０．３が設定された場合（図９）
・規準正規分布関数Ｆ＜Ｎ＞の標準偏差（Ｎ）1/2・ｗｓ＝１６1/2・（５／８）
・個数判定用重量範囲の下限重量値ＷＬ＜Ｎ＞の正規値ＺＬ＜Ｎ＞は、
ＺＬ＜Ｎ＞＝−Ｋ・ｗａ／｛（Ｎ）1/2・ｗｓ｝＝−０．３*１０／１６1/2（５／８）
＝−３*８／４*５＝−１．２（シグマ）
・個数判定用重量範囲の上限重量値ＷＵ＜Ｎ＞の正規値ＺＵ＜Ｎ＞は、
ＺＵ＜Ｎ＞＝Ｋ・ｗａ／｛（Ｎ）1/2・ｗｓ｝＝０．３*１０／１６1/2・（５／８）
＝１．２（シグマ）
・規準正規分布表より、ｐ＜Ｎ＞＝０．３８４９＋０．３８４９＝０．７６９８
・規準正規分布関数Ｆ＜Ｎ−１＞の標準偏差（Ｎ−１）1/2・ｗｓ
＝（１５）1/2・（５／８）
・下限重量値ＷＬ＜Ｎ＞の正規値ＺＬ＜Ｎ−１＞は、
ＺＬ＜Ｎ−１＞＝（１−Ｋ）・ｗａ／｛（Ｎ）1/2・ｗｓ｝
＝０．７*１０／（１５）1/2・（５／８）＝５６／５*（１５）1/2
＝２．８９１８（シグマ）
・上限重量値ＷＵ＜Ｎ＞の正規値ＺＵ＜Ｎ−１＞は、
ＺＵ＜Ｎ−１＞＝（１＋Ｋ）・ｗａ／｛（Ｎ）1/2・ｗｓ｝
＝１．３*１０／（１５）1/2・（５／８）
＝１３*８／５*（１５）1/2
＝５．３７０５（シグマ）
・規準正規分布表より、ｐ＜Ｎ−１＞＝０．５−０．４９８１＝０．００１９
・規準正規分布関数Ｆ＜Ｎ＋１＞の標準偏差（Ｎ＋１）1/2・ｗｓ＝（１７）1/2・（５／８）
・下限重量値ＷＬ＜Ｎ＞の正規値ＺＬ＜Ｎ＋１＞は、
ＺＬ＜Ｎ＋１＞＝−（１＋ｋ）・ｗａ／｛（Ｎ＋１）1/2・ｗｓ｝
＝− １．３*１０／（１７）1/2・（５／８）
＝−１３*８／５*（１７）1/2＝−５．０４５（シグマ）
・上限重量値ＷＵ＜Ｎ＞の正規値ＺＵ＜Ｎ＋１＞は、
ＺＵ＜Ｎ＋１＞＝−（１−Ｋ）・ｗａ／｛（Ｎ＋１）1/2・ｗｓ｝
＝−０．７*１０／（１７）1/2・（５／８）
＝−７*８／５*（１７）1/2
＝− ２．７１６４（シグマ）
・規準正規分布表より、ｐ＜Ｎ＋１＞＝０．５−０．４９６７＝０．００３３
以上より、
個数計数精度評価値は、
Ｐ＜Ｎ＞＝（ｐ＜Ｎ−１＞＋ｐ＜Ｎ＋１＞）／ｐ＜Ｎ＞
＝（０．００１９＋０．００３３）／０．７６９８＝０．００６７６
個数決定可否評価値＝Ｐａ＜Ｎ＞／Ｐｂ＜Ｎ＞
＝（０．７６９８＋０．００１９＋０．００３３）／０．９９５３
＝０．７７８７
上記計算事例によるＫの値と、個数計数精度評価値と個数決定可否評価値の関係は、下記表１の通りである。
【０１４７】
【表１】
2015031556.tif 000003
この表１に示すように、Ｋの値を減少させるとＮ個の計数精度は向上するが個数決定ができない状況、すなわち計量器上の物品を交換しなければならない状況が増える。
【０１４８】
最大個数Ｎ（或いは最大重量Ｎ・ｗａ）を増減してもＫの値に対する個数計数精度評価値と 個数決定可否評価値は変化する。
【０１４９】
最大個数Ｎ（或いは最大重量Ｎ・ｗａ）が固定値に規定されると、計数精度を重視する場合はＫの値を小さく、作業効率を優先する場合はＫの値を大きく（最大値＝０．５）設定する。
【０１５０】
本実施形態の計数秤では、次の（Ｉ），（ＩＩ）の各場合には、警報信号を出力して作業者に報知する。
【０１５１】
最大個数Ｎが設定され、Ｋの値によって個数判定用重量範囲の最大値ＷＵ＜Ｎ＞から最小値ＷＬ＜Ｎ＞が規定されているとする。
【０１５２】
（Ｉ）計量器に載置された集合品の重量Ｗｘについて、
Ｗｘ≦Ｎ・ｗａ＋ｗｅｘであって、
（１）：  ｗａ−ｗｅｘ≦Ｗｘ≦ｗａ＋ｗｅｘ
（２）：  ２・ｗａ−ｗｅｘ≦Ｗｘ≦２・ｗａ＋ｗｅｘ
（３）：  ３・ｗａ−ｗｅｘ≦Ｗｘ≦３・ｗａ＋ｗｅｘ
・・・・・・・・・・・・・・・・・・・・・・・・・・・・・・・・・・・
（Ｎ−１）：  （Ｎ−１）ｗａ−ｗｅｘ≦Ｗｘ≦（Ｎ−１）・ｗａ＋ｗｅｘ
（Ｎ）：  Ｎ・ｗａ−ｗｅｘ≦Ｗｘ≦Ｎ・ｗａ＋ｗｅｘ
の（１）〜（Ｎ）のいずれもが成立しない場合は、計数不可重量範囲を意味する警報信号を出力する。この場合、個数計数精度評価値を満足しないので、表示部６ａに計数不可である旨を表示する。これによって、作業者は、計量器に載置されている個別物品を交換して重量値を調整する作業を行う。
【０１５３】
但し、ｗｅｘ＝Ｋ・ｗａ（ｗａは設定される平均単位重量値、Ｋは０．５以下に設定された０でない任意の値）
（ＩＩ）Ｗｘ＞Ｎ・ｗａ＋Ｋ・ｗａ（又はｗｅｘ）の場合は、やはり個数計数精度評価値を満足しないので、載置重量過量を意味する警報信号を出力する。
【０１５４】
この警報信号に基づいて、表示部６ａに過量である旨の表示を行う。作業者は、計量器に載置されている個別物品を降ろして重量を減らす。
【０１５５】
次に、図１０〜図１４のフローチャートに基づいて、上述の計数秤の動作を説明する。
【０１５６】
図１０は、作業者が、計数秤の入力部７ａを操作してＫの値を設定することによって、Ｋの値に応じた計数精度評価値と個数決定可否評価値とを算出して表示する評価値手動算出モードのセット及びリセットの処理を示すものである。
【０１５７】
先ず、図１０（ａ）に示すように、入力部７の評価値手動算出モードキーがＯＮされると（ステップｎ１）、最大個数Ｎ、平均単位重量値ｗａ、標準偏差ｗｓが設定済みであるか否かを判断し（ステップｎ２）、設定済みであるときには、評価値手動算出モードフラグＦｍを「１」にセットし（ステップｎ３）、評価値手動算出モードであることを表示部６ａに表示して終了する（ステップｎ４）。
【０１５８】
上記ステップｎ２で、最大個数Ｎ等の設定が済んでいないときには、評価値手動算出モード設定ができないことを表示部６ａに短時間行うと共に、評価値手動算出モードフラグＦｍを「０」にリセットし（ステップｎ５）、評価値手動算出モードの表示をオフして終了する（ステップｎ６）。
【０１５９】
また、図１０（ｂ）に示すように、評価値手動算出モードの解除キーがＯＮされると（ステップｎ７）、評価値手動算出モードフラグＦｍを「０」にリセットし（ステップｎ８）、評価値手動算出モードの表示をオフして終了する（ステップｎ９）。
【０１６０】
図１１は、評価値手動算出モードの処理を示すフローチャートである。
【０１６１】
評価値手動算出モードが設定されていると、Ｋの値を、「±０．０１」ずつインクリメント／デクリメントするキーが有効となる。
【０１６２】
Ｋの値を、「±０．０１」ずつインクリメント（ＩＮＣ）／デクリメント（ＤＥＣ）するキーがＯＮされると（ステップｎ２０１）、評価値手動算出モードフラグＦｍが「１」にセットされているか否かを判断し（ステップｎ２０２）、セットされていないときには、終了し、セットされているときには、キー操作に応じて、Ｋの値を「±０．０１」ずつ増減して設定し、ステップｎ２０４へ移る（ステップｎ２０３）。
【０１６３】
ステップｎ２０４では、最大個数Ｎ、平均単位重量値ｗａ、標準偏差ｗｓに基づいて、最大個数Ｎの個数判定重量範囲の上限値ＷＵ＜Ｎ＞、下限値ＷＬ＜Ｎ＞を、下記のようにして
ＷＵ＜Ｎ＞＝Ｎ・ｗａ＋Ｋ・ｗａ
ＷＬ＜Ｎ＞＝Ｎ・ｗａ−Ｋ・ｗａ
算出し、表示部６ａに表示し、ステップｎ２０５に移る。
【０１６４】
次に、ステップｎ２０５では、最大個数Ｎ、平均単位重量値ｗａ、標準偏差ｗｓに基づいて、計数精度評価値を、上記（６）式、すなわち、下記のようにして、
Ｐ＜Ｎ＞＝（ｐ＜Ｎ−１＞十ｐ＜Ｎ＋１＞）／ｐ＜Ｎ＞
算出する一方、個数決定可否評価値を、上記（７），（８），（９）式、すなわち、下記のようにして、
Ｐａ＜Ｎ＞＝ｐ＜Ｎ＞＋（ｐ＜Ｎ−１＞＋ｐ＜Ｎ＋１＞）
Ｐｂ＜Ｎ＞＝ｐ´＜Ｎ＞＋ｐ´＜Ｎ−１＞＋ｐ´＜Ｎ＋１＞
個数決定可否評価値＝Ｐａ＜Ｎ＞／Ｐｂ＜Ｎ＞
算出し、ステップｎ２０６に移る。
【０１６５】
ステップｎ２０６では、算出した計数精度評価値及び個数決定可否評価値を表示部６ａに表示して終了する。
【０１６６】
このようにして、作業者によるＫの値の変更操作に応じて、最大個数の個数判定用重量範囲の上下限値ＷＵ＜Ｎ＞，ＷＬ＜Ｎ＞と、個数の計数精度評価値と、個数決定可否評価値が算出さて表示部６ａに表示される。
【０１６７】
次に、計数精度評価値の目標値を設定し、個数決定可否評価値を自動算出する自動算出モードのセット及びリセット処理について説明する。
【０１６８】
図１２（ａ）に示すように、入力部７ａの個数決定可否評価値の自動算出モードキーがＯＮされると（ステップｎ３０１）、最大個数Ｎ、平均単位重量値ｗａ、標準偏差ｗｓが設定済みであるか否かを判断し（ステップｎ３０２）、設定済みであるときには、設定されている計数精度評価値の目標値が適正であるか否か、具体的には、個数計数精度の目標値がＫ＝０．５の場合の計数精度より小さいか否かを判断し（ステップｎ３０３）、適正であれば、個数決定可否評価値自動算出モードフラグＦｕを、「１」にセットし（ステップｎ３０４）、個数決定可否評価値自動算出モードの表示をオンして終了する（ステップｎ３０５）。
【０１６９】
上記ステップｎ３０２において、最大個数Ｎ等の設定が済んでいないときには、自動算出モード設定ができないことを表示部６ａに短時間行ってステップｎ３０７に移る（ステップｎ３０９）。
【０１７０】
また、ステップｎ３０３において、設定されている計数精度評価値の目標値が適正でないときには、設定された目標値が不適切であることを表示部６ａに短時間行ってステップｎ３０７に移る（ステップｎ３０６）。
【０１７１】
ステップｎ３０７では、個数決定可否評価値自動算出モードフラグＦｕを「０」にリセットし、個数決定可否評価値自動算出モードの表示をオフして終了する（ステップｎ３０８）。
【０１７２】
また、図１２（ｂ）に示すように、個数決定可否評価値の自動算出モードの解除キーがＯＮされると（ステップｎ３１０）、個数決定可否評価値自動算出モードフラグＦｕを、「０」にリセットし（ステップｎ３１１）、個数決定可否評価値自動算出モードの表示をオフして終了する（ステップｎ３１２）。
【０１７３】
図１３は、個数決定可否評価値の自動算出モードの処理を示している。
【０１７４】
個数決定可否評価値の自動算出キーがＯＮされると（ステップｎ４０１）、個数決定可否評価値自動算出モードフラグＦｕが「１」であるか否かを判断し（ステップｎ４０２）、「１」でないときには、キー操作は無効であるとして終了し、「１」であるときには、Ｋの値に「０．５」をセットし（ステップｎ４０３）、更に、「０．０１」を減算した値をＫの値とする（ステップｎ４０４）。
【０１７５】
次に、Ｋの値、最大個数Ｎ、平均単位重量値ｗａ、標準偏差ｗｓの値に基づいて、個数計数精度と個数決定可否評価値を算出する（ステップｎ４０５）。
【０１７６】
算出した個数計数精度評価値が、設定された目標値以下であるか否かを判断し（ステップｎ４０６）、目標値以下でないときには、Ｋの値が「０」であるか否かを判断し（ステップｎ４０８）、「０」でないときには、ステップｎ４０４に戻り、「０」であるときには、設定された目標値が過小である旨を表示部６ａに短時間表示して終了する（ステップｎ４０９）。
【０１７７】
ステップｎ４０６において、算出した個数計数精度評価値が、設定された目標値以下であるときには、このときのＫの値、算出された個数計数精度評価値、個数決定可否評価値を表示部６ａに表示し、最大計数個数に対応する上限重量値ＷＵ（Ｎ）、下限重量値ＷＬ（Ｎ）を表示して終了する（ステップｎ４０７）。
【０１７８】
図１２及び図１３では、計数精度評価値の目標値を設定して、個数決定可否評価値を自動で算出する個数決定可否評価値の自動算出モードについて説明したが、個数決定可否評価値の目標値を設定して、計数精度評価値を自動で算出する計数精度評価値の自動算出モードも基本的に同様である。
【０１７９】
次に、複数の計量器を備え、各計量器の物品の個数を計数し、それら個数を組合せて所定の目標組合せ個数又はそれに近い組合せ個数となるように計量器を選択する上記図１の組合せ式の計数秤について説明する。
【０１８０】
組合せ秤では、組合せ秤を構成する個別の計数秤である計量器に載置された集合品の重量Ｗｘが、上記（Ｉ）又は（ＩＩ）の条件を満足するとき、すなわち、計数不可重量範囲又は載置重量過量であるときには、その計量器については、個数を算出させないか、又は、個数を算出させても計量器の組合せを選択する組合せ選択演算に参加させないようにする。
【０１８１】
しかし、組合せ式の計数秤では、複数の各計量器から精確な個数が得られても、最終的には、目標組合せ個数に一致、あるいは、目標組合せ個数にできるだけ近い個数となる組合せ選択が求められるので、組合せ個数の歩留まり精度をよくする、すなわち、組合せ選択された個数の目標組合せ個数からの偏差を小さくする必要がある。
【０１８２】
この偏差を小さくするためには、組合せ選択の通り数が多いことが必要であるので、計数秤に備えられている全ての計量器台数（計量器の総台数）に対する好ましい組合せ選択の計量器台数の関係が規定され、そうなるように各計量器へ載置する物品の個数（重量値）には制限が加えられる。したがって、各計量器に載置する個別物品の最大個数（重量値）は、組合せ品の歩留まり精度の観点を考慮して規定される。
【０１８３】
例えば、組合せ式の計数秤における組合せ選択方法として、予め目標組合せ個数Ｑｔと上限組合せ個数Ｑuが設定され、計数秤の計量器の総台数をＲ、組合せ選択される計量器の目標組合せ台数をＭとすると、組合せ選択の通り数は、RＣM通りであり、RＣM通りの組合せ選択の中で目標組合せ個数Ｑｔと上限組合せ個数Ｑｕの間に属し、最も目標組合せ個数Ｑｔに近い組合せを最適組合せとして選択する組合せ演算を実施する。
【０１８４】
その際、例えば、計量器の総台数Ｒ＝８，組合せ選択される計量器の組合せ目標台数Ｍ＝４とすると、組合せ選択の通り数は、8Ｃ4＝７０通りが最大となり、組合せ選択の通り数の上で最も好ましい台数となる。これに続くのが、8Ｃ5 と8Ｃ3 の５６通りである。
【０１８５】
このように組合せ選択の通り数が多いほど個数が、目標組合せ個数Ｑｔと上限組合せ個数Ｑｕの間に属する組合せの通り数が多く、それだけ目標組合せ個数Ｑｔに近い組合せの存在する確率が高まるので、目標組合せ個数Ｑｔの値に近い組合せ個数が選択される確率が高くなる。
【０１８６】
組合せ選択の通り数が多いと、組合せ選択結果の個数歩留まりが向上するので、全ての計量器の中からそうした適切な台数の計量器が選択されるように、各計量器へ載置する個別物品の個数（重量範囲）に制限が必要になる。
【０１８７】
このため、組合せ式の計数秤では、個数組合せの歩留まり精度の観点から上下限の個数（重量範囲）が規定される。
【０１８８】
組合せ式の計数秤を構成する計量器の総台数をＲとすると、組合せ選択される計量器の好ましい台数、すなわち、目標組合せ台数Ｍを、上記の理由により標準値として、Ｒ／２＝Ｍ（Ｍが整数でない場合は四捨五入）と定める。
【０１８９】
目標組合せ個数をＱｔとすると、計量器１台当たりの物品の目標載置個数は、ｑｔ＝Ｑｔ／Ｍ個（ｑｔが整数でない場合は四捨五入）になる。
【０１９０】
実際の作業に際して作業者は、各計量器へ載置する個別部品を目標載置個数Ｑｔ／Ｍを中心にしたその上下の個数、すなわち各計量器へＱｔ／Ｍ個に相当する重量の近傍で、その重量の上下の重量である個別物品から成る集合品を各計量器へ載置し、計数秤による各計量器へ載置された個別物品の合計個数が目標組合せ個数Ｑｔとなる計量器の組合せを選択する組合せ演算に委ねる。
【０１９１】
各計量器へ載置した個別の物品からなる集合品の重量が、目標載置個数Ｑｔ／Ｍに相当する重量値から上下方向に大きく離れすぎたりすると、組合せ選択数が少なくなって、組合せの歩留まり精度が低下する。
【０１９２】
このため、各計量器に載置する個別物品の上限個数（最大個数）に相当する重量の上限値、及び、重量の下限値は、組合せ歩留まりの観点から制限を定める。
【０１９３】
すなわち、組合せ式の計数秤では、組合せ演算に関わる歩留まり精度の観点と、作業者の作業性の観点から、各計量器上に載置する個別物品の目標載置個数Ｑｔ／Ｍ に対する上下許容個数を、目標載置個数Ｑｔ／Ｍに対する許容載置限界係数±α％を用いて規定する。
【０１９４】
各計量器から得られる複数の計数値を組合せて目標とする個数の集合商品を作成する場合、いずれの計量器も目標載置個数Ｑｔ／Ｍ以上の個数であったり、目標載置個数Ｑｔ／Ｍ以下の個数であったりすると、組合せ演算は成立しにくい。また、極端に目標載置個数Ｑｔ／Ｍから上下方向のいずれかに離れた個数が載置されている計量器では、組合せ演算で最適組合せとして選択されにくくなり、それだけ組合せ選択数が減って組合せ品の歩留まり精度が低下する。
【０１９５】
したがって、各計量器には、目標載置個数Ｑｔ／Ｍを中心に、目標載置個数Ｑｔ／Ｍからあまり大きく離れず、しかも、目標載置個数Ｑｔ／Mの上下の個数の集合品が均等に載置されることが好ましい。
【０１９６】
この観点から各計量器へ載置される組合せ秤としての個数の上下限値として、許容載置限界係数α％を設け、下記のように規定する。この許容載置限界係数α％は、物品の属性や目標組合せ個数あるいは作業性などを考慮して任意に設定すればよく、例えば、１０％〜３０％程度としてもよい。なお、下記のように規定される個数の上下限値が整数でない場合は四捨五入する。
【０１９７】
（Ｑｔ／Ｍ）・（１±α／１００） （個）        ・・・（１２）
重量値では
（Ｑｔ／Ｍ）・ｗａ・（１±α／１００） （ｇ）  ・・・（１３）
と規定する。（Ｑｔ／Ｍ）・ｗａを目標載置重量値と呼ぶ。
組合せ式の計数秤の歩留まり精度の観点から導かれる上限個数（最大個数）Ｎｕとしては
Ｎｕ＝（Ｑｔ／Ｍ）・（１＋α／１００）  （個）
である。
【０１９８】
したがって、組合せ式の計数秤では、歩留まり精度を考慮した上限個数Ｎｕが算出されて、この上限個数Ｎｕが、最大個数Ｎとして設定されることになる。
【０１９９】
すなわち、組合せ式の計数秤では、最大個数Ｎが、歩留まり精度を考慮して算出される上限個数Ｎｕとなる。
【０２００】
本実施形態の組合せ式計数秤は、個別物品の平均単位重量値、標準偏差を設定し、目標組合せ個数Ｑｔ、目標組合せ台数Ｍ、許容載置限界係数αを設定したときに、上記の最大個数Ｎの値として、歩留まり精度から算出される上限個数Ｎｕの値が設定されることになる。計数秤は、この最大個数ＮをＮｕとした場合の、Ｋ＝０．５（デフォルト値）における個数計数精度評価値と個数決定可否評価値を算出して表示部６へ表示する機能を有する。また、計量器へ載置する最大個数Ｎを、表示部６へ表示する。
【０２０１】
そこで、Ｋ＝０．５（デフォルト値）における計数精度評価値と個数決定可否評価値の表示値に対して、例えば、上記のように計数精度評価値についての目標値を設定し、個数決定可否評価値の自動算出をキースイッチで指令すると、設定した計数精度評価値の目標値を満足する個数決定可否評価値と、Ｋの値と、個数判定用重量範囲の最大値、最小値を求めて表示させることができる。
【０２０２】
また、目標組合せ個数Ｑｔ、目標組合せ台数Ｍ、許容載置限界係数αを設定し、これらより算出される上限個数Ｎｕの値を最大個数Ｎとし、個数決定可否評価値についての目標値を設定し、個数決定可否評価値の目標値を満足する計数精度評価値と、Ｋの値と、個数判定用重量範囲の最大値、最小値を求めて表示させることができる。
【０２０３】
また、下限個数Ｎｌは、上記（１２）式より、
Ｎｌ＝（Ｑｔ／Ｍ）・（１−α／１００） （個）
と算出され、表示部６に表示される。
【０２０４】
作業者は、表示部６に表示される、上限個数Ｎｕ以下であって、下限個数Ｎｌ以上の個数となるように、物品を計量器の計量皿上に載置する。
【０２０５】
本実施形態の組合せ式の計数秤では、次の（Ｉ）〜（ＩＶ）の各場合には、計量器毎に警報信号を出力して作業者に報知する。
【０２０６】
（Ｉ）各計量器に載置された集合品の重量Ｗｘについて、計量器毎に
ＷｘがＮｌ・ｗａ−ｗｅｘ≦Ｗｘ≦（Ｎｕ）・Ｗａ＋ｗｅｘの範囲であって
（１）Ｎｌ・ｗａ−ｗｅｘ≦Ｗｘ≦Ｎｌ・ｗａ＋ｗｅｘ
（２）（Ｎｌ＋１）・ｗａ−ｗｅｘ≦Ｗｘ≦（Ｎｌ＋１）・ｗａ+ｗｅｘ
・・・・・・・・・・・・・・・・・・・・・・・・・・・・・・・・・・・
（Ｎｕ−ＮＩ＋１）
（Ｎｕ）・ｗａ−ｗｅｘ≦Ｗｘ≦（Ｎｕ）・ｗａ+ｗｅｘ
のいずれもが成立しない場合は、対応する計量器について個数計数精度評価値を満足しないので、個数計数不可重量範囲を意味する警報信号を出力する。この場合、表示部６に計量器を特定する番号と共に、計数できない旨が表示される。なお、計量器の対応するランプを点灯して報知するようにしてもよい。
【０２０７】
（ＩＩ）Ｎｌ・ｗａ−Ｋ・ｗａ（又はｗｅｘ）＞Ｗｘの場合は、載置重量軽量を意味する警報信号を出力し、対応する計量器の第３ランプ５3を点滅する。
【０２０８】
（ＩＩＩ）Ｗｘ＞（Ｎｕ）・ｗａ＋Ｋ・ｗａ（又はｗｅｘ）の場合は、載置重量過量を意味する警報信号を出力し、対応する計量器の第２ランプ５2を点滅する。
【０２０９】
本実施形態の組合せ式の計数秤では、最大個数Ｎとして、設定される目標組合せ個数Ｑｔ、目標組合せ台数Ｍ、許容載置限界係数αに基づいて算出される上限個数Ｎｕ＝（Ｑｔ／Ｍ）・（１＋α／１００）を用いた、すなわち、歩留まり精度を考慮した上限個数Ｎｕを用いたけれども、他の実施形態として、組合せ式でない上記の計数秤と同様に、最大個数Ｎを直接設定し、上限個数Ｎｕに代えて直接設定される最大個数Ｎを用いてもよい。
【０２１０】
この場合は、計量器毎に過量の警報信号を出力する上記（ＩＩＩ）では、次のように警報信号を出力する。
【０２１１】
すなわち、(Ｎ)・ｗａ＋Ｋ・ｗａは、設定される最大個数Ｎ、及び、個数計数精度評価等に応じたＫの値によって規定される上限の重量値であり、（Ｑｔ／Ｍ）・（１＋α／１００）・ｗａは、歩留まり精度から規定される上限の重量値である。
【０２１２】
基本的には、個数計数精度評価値等に応じて規定される上限値(Ｎ)・ｗａ＋Ｋ・ｗａ以下であることが必須条件であるから、
(Ｎ)・ｗａ＋Ｋ・ｗａ≧（Ｑｔ／Ｍ）・（１＋α／１００）・ｗａの場合には、歩留まり精度も満足するＱｔ／Ｍ）・（１＋α／１００）・ｗａを、最終的な上限重量値としてもよい。
【０２１３】
しかし、(Ｎ)・ｗａ＋Ｋ・ｗａ＜（Ｑｔ／Ｍ）・（１＋α／１００）・ｗａの場合は、個数計数精度評価値等に応じて規定される上限値(Ｎ)・ｗａ＋Ｋ・ｗａを、最終的な上限値とする。
【０２１４】
したがって、上記（ＩＩＩ）では、
（ＩＩＩ）(Ｎ)・ｗａ＋Ｋ・ｗａ≧（Ｑｔ／Ｍ）・（１＋α／１００）・ｗａの場合には、Ｗｘ＞（Ｑｔ／Ｍ）・（１＋α／１００）・ｗａが成立するとき、
(Ｎ)・ｗａ＋Ｋ・ｗａ＜（Ｑｔ／Ｍ）・（１＋α／１００）・ｗａの場合には、Ｗｘ＞(Ｎ)・ｗａ＋Ｋ・ｗａが成立するときに、載置重量過量を意味する警報信号を出力する。
【符号の説明】
【０２１５】
１                      計数秤
２，２ａ                計量皿
４                      制御ユニット
５1                     組合せランプ
５1，５2                第１，第２警告ランプ
６，６ａ                表示部
７，７ａ                入力部
８，８ａ                荷重センサ
９，９ａ                測定演算回路
１０1〜１０12，１０ａ   計量器
１１，１１ａ            演算制御部
【図１】
2015031556.tif 000004
【図２】
2015031556.tif 000005
【図３】
2015031556.tif 000006
【図４】
2015031556.tif 000007
【図５】
2015031556.tif 000008
【図６】
2015031556.tif 000009
【図７】
2015031556.tif 000010
【図８】
2015031556.tif 000011
【図９】
2015031556.tif 000012
【図１０】
2015031556.tif 000013
【図１１】
2015031556.tif 000014
【図１２】
2015031556.tif 000015
【図１３】
2015031556.tif 000016